(57)【要約】【課題】複数の端末から賞品に関する処理が行える場合に、誤った処理が行われるのを抑制できる賞品管理システムを提供する。【解決手段】管理手段と、賞品に関する第１の処理を行うとともに、遊技場の従業員から所定の指示を受け付ける機能を備えた第１指示受付手段３と、賞品に関する第２の処理を行うとともに、遊技場の従業員から所定の指示を受け付ける機能を備えた第２指示受付手段２とを備え、管理手段は、第１指示受付手段において所定の指示を受け付けたことに基づいて在庫に関する情報を更新する第１更新処理および第２指示受付手段において所定の指示を受け付けたことに基づいて在庫に関する情報を更新する第２更新処理が可能な第１運用と、第１更新処理および／または前記第２更新処理を制限する第２運用とを行う機能を備えている。【選択図】図１
2019017561.tif 000002
【特許請求の範囲】
【請求項１】
遊技場に設けられ、前記遊技場における賞品の在庫を管理することが可能な賞品管理システムであって、
前記賞品の在庫に関する情報を管理する管理手段と、
前記賞品に関する第１の処理を行うとともに、前記遊技場の従業員から所定の指示を受け付ける機能を備えた第１指示受付手段と、
前記賞品に関する第２の処理を行うとともに、前記遊技場の従業員から所定の指示を受け付ける機能を備えた第２指示受付手段と、を備え、
前記管理手段は、前記第１指示受付手段において所定の指示を受け付けたことに基づいて前記在庫に関する情報を更新する第１更新処理および前記第２指示受付手段において所定の指示を受け付けたことに基づいて前記在庫に関する情報を更新する第２更新処理が可能な第１運用と、前記第１更新処理および／または前記第２更新処理を制限する第２運用と、を行う機能を備えている、賞品管理システム。
【請求項２】
前記第１運用と前記第２運用とを設定する設定手段と、
前記設定手段による設定を記憶する記憶手段と、
を備えている、請求項１に記載の賞品管理システム。
【請求項３】
前記管理手段は、
前記第１指示受付手段および前記第２指示受付手段と通信を行うことにより、前記第１指示受付手段及び第２指示受付手段を識別する識別情報を取得する識別情報取得手段を備え、
前記識別情報取得手段にて取得した識別情報に基づいて前記第１運用または前記第２運用を行うものである、請求項１に記載の賞品管理システム。
【請求項４】
前記設定手段は、前記第１指示受付手段および第２指示受付手段の優先度を設定する機能を備える、請求項２に記載の賞品管理システム。
【請求項５】
前記第１指示受付手段および前記第２指示受付手段は、前記管理手段により管理される賞品の在庫に関する情報を更新することとなる処理を選択する指示を受け付ける選択指示受付手段を備え、
前記選択指示受付手段により指示を受け付けた場合に、第１更新処理または第２更新処理を行う、請求項１に記載の賞品管理システム。
【請求項６】
前記選択指示受付手段により指示を受け付けた場合において、第１更新処理または第２更新処理が制限される場合に、所定の報知を行う報知手段をさらに含む、請求項５に記載の賞品管理システム。
【請求項７】
前記第１指示受付手段は、
賞品を収容する収容手段と、
前記収容手段に収容された賞品の数を特定する賞品数特定手段と、を備え、
前記管理手段は、前記第１更新処理を行う場合に、前記賞品数特定手段により特定された賞品の数に基づいて処理を行う、請求項１〜６のいずれか一項に記載の賞品管理システム。
【請求項８】
前記第２指示受付手段は、
賞品の交換処理を行う交換処理手段と、
所定の入力により賞品の数を取得する賞品数取得手段と、を備え、
前記管理手段は、前記第２更新処理を行う場合に、前記賞品数取得手段により取得された賞品の数に基づいて処理を行う、請求項１〜７のいずれか一項に記載の賞品管理システム。
【発明の詳細な説明】
【技術分野】
【０００１】
この発明は、賞品を管理する賞品管理システムに関する。
【背景技術】
【０００２】
遊技店等の店舗には、遊技媒体（例えば、パチンコ玉）と交換される賞品を管理する賞品管理システムが設けられている（例えば、下記特許文献１参照）。特許文献１に記載の賞品管理システムは、賞品を払い出すための賞品払出装置（景品払出機）と、賞品払出装置と通信可能に接続され、賞品払出装置を管理する賞品管理装置（景品管理機）とを含んでいる。賞品管理装置は、賞品払出装置内の賞品在庫数、遊技店の店舗内の賞品在庫数等を管理する。
【０００３】
遊技店では、開店前に、問屋から賞品が仕入れられる。問屋から仕入れられた賞品（仕入賞品）は、店員によって手作業で数えられた後、賞品払出装置に装填される。賞品払出装置に装填された仕入賞品の種類別仕入数（賞品仕入数）は、店員によって賞品管理装置に直接に手入力されることによって賞品管理装置に送信される。賞品管理装置は、手入力された賞品仕入数に基づいて、賞品払出装置内の賞品在庫数および店舗内の賞品在庫数を更新する。
【０００４】
賞品払出装置に賞品を収納したり、賞品払出装置から賞品を取り出したりすることを「装填」ということにする。また、問屋から仕入れられた仕入賞品がそのまま賞品払出装置へ装填されることを、「仕入」という場合がある。これに対して、複数の賞品払出装置間において賞品を移動させるために、賞品払出装置に対して装填を行うことを「補充」という場合がある。また、賞品払出装置に仕入された仕入賞品に関する情報を含む仕入データを、賞品管理装置に提供するための処理を「仕入処理」という場合がある。
【先行技術文献】
【特許文献】
【０００５】
【特許文献１】特開２０１４−１００３９３号公報
【発明の概要】
【発明が解決しようとする課題】
【０００６】
賞品払出装置として、前記特許文献１に記載されているように、賞品払出装置内に収納されている賞品の種類別在庫数（賞品在庫数）を計数する機能（賞品計数機能）を備えたものが既に開発されている。そこで、賞品払出装置の賞品計数機能を利用して、賞品払出装置から仕入処理を行うことが考えられる。
このように賞品管理装置の他、賞品払出装置からも仕入処理が行えるようになるなど、複数の端末から賞品に関する処理が行えるようになると、同一の仕入賞品に対して、重複して処理が行われるなどの誤った処理が行われるおそれがある。
【０００７】
この発明の目的は、複数の端末から賞品に関する処理が行える場合に、誤った処理が行われるのを抑制できる賞品管理システムを提供することである。
【課題を解決するための手段】
【０００８】
請求項１に記載の発明は、遊技場に設けられ、前記遊技場における賞品の在庫を管理することが可能な賞品管理システムであって、前記賞品の在庫に関する情報を管理する管理手段と、前記賞品に関する第１の処理を行うとともに、前記遊技場の従業員から所定の指示を受け付ける機能を備えた第１指示受付手段と、前記賞品に関する第２の処理を行うとともに、前記遊技場の従業員から所定の指示を受け付ける機能を備えた第２指示受付手段とを備え、前記管理手段は、前記第１指示受付手段において所定の指示を受け付けたことに基づいて前記在庫に関する情報を更新する第１更新処理および前記第２指示受付手段において所定の指示を受け付けたことに基づいて前記在庫に関する情報を更新する第２更新処理が可能な第１運用と、前記第１更新処理および／または前記第２更新処理を制限する第２運用とを行う機能を備えている、賞品管理システムである。
【０００９】
この構成では、第１更新処理および／または第２更新処理を制限することが可能となるので、複数の端末から賞品に関する処理が行える場合に、誤った処理が行われるのを抑制できる。
請求項２に記載の発明は、前記第１運用と前記第２運用とを設定する設定手段と、前記設定手段による設定を記憶する記憶手段とを備えている、請求項１に記載の賞品管理システムである。
【００１０】
請求項３に記載の発明は、前記管理手段は、前記第１指示受付手段および前記第２指示受付手段と通信を行うことにより、前記第１指示受付手段および第２指示受付手段を識別する識別情報を取得する識別情報取得手段を備え、前記識別情報取得手段にて取得した識別情報に基づいて前記第１運用または前記第２運用を行うものである、請求項１に記載の賞品管理システムである。
【００１１】
請求項４に記載の発明は、前記設定手段は、前記第１指示受付手段および第２指示受付手段の優先度を設定する機能を備える、請求項２に記載の賞品管理システムである。
請求項５に記載の発明は、前記第１指示受付手段および前記第２指示受付手段は、前記管理手段により管理される賞品の在庫に関する情報を更新することとなる処理を選択する指示を受け付ける選択指示受付手段を備え、前記選択指示受付手段により指示を受け付けた場合に、第１更新処理または第２更新処理を行う、請求項１に記載の賞品管理システムである。
【００１２】
請求項６に記載の発明は、前記選択指示受付手段により指示を受け付けた場合において、第１更新処理または第２更新処理が制限される場合に、所定の報知を行う報知手段をさらに含む、請求項５に記載の賞品管理システムであるである。
請求項７に記載の発明は、前記第１指示受付手段は、賞品を収容する収容手段と、前記収容手段に収容された賞品の数を特定する賞品数特定手段とを備え、前記管理手段は、前記第１更新処理を行う場合に、前記賞品数特定手段により特定された賞品の数に基づいて処理を行う、請求項１〜６のいずれか一項に記載の賞品管理システムである。
【００１３】
請求項８に記載の発明は、前記第２指示受付手段は、賞品の交換処理を行う交換処理手段と、所定の入力により賞品の数を取得する賞品数取得手段とを備え、前記管理手段は、前記第２更新処理を行う場合に、前記賞品数取得手段により取得された賞品の数に基づいて処理を行う、請求項１〜７のいずれか一項に記載の賞品管理システムである。
【図面の簡単な説明】
【００１４】
【図１】図１は、この発明の一実施形態に係る賞品管理システムの構成を示す模式図である。
【図２】図２は、賞品管理システムに含まれる賞品払出装置および賞品管理装置を模式的に示す斜視図である。
【図３】図３は、通い箱を示す斜視図である。
【図４】図４は、賞品払出装置の収納部を模式的に示す斜視図である。
【図５Ａ】図５Ａは、賞品の識別計数処理が可能な状態における賞品払出装置の内部を模式的に示す右側面図である。
【図５Ｂ】図５Ｂは、賞品の繰出払出処理が可能な状態における賞品払出装置の内部を模式的に示す右側面図である。
【図６】図６は、収納部の内部を模式的に示す平面図である。
【図７】図７は、賞品払出装置の電気的構成を示すブロック図である。
【図８】図８は、装填履歴管理テーブルの内容例を示す模式図である。
【図９Ａ】図９Ａは収納部別在庫画面の一例を示す模式図である。
【図９Ｂ】図９Ｂはケース別在庫画面の一例を示す模式図である。
【図１０】図１０は、賞品の装填処理が可能な状態における賞品払出装置の内部を模式的に示す右側面図である。
【図１１】図１１は、賞品管理装置、携帯端末および管理サーバの電気的構成を示すブロック図である。
【図１２】図１２は、店内在庫管理テーブル、払出装置別在庫管理テーブルおよび仕入装填履歴管理テーブルの内容例を示す模式図である。
【図１３】図１３は、賞品管理装置、賞品払出装置および携帯端末が、管理サーバから仕入処理制限情報を取得するための動作を説明するためのシーケンス図である。
【図１４】図１４Ａ、図１４Ｂおよび図１４Ｃは、それぞれ制限情報設定画面の例を示す模式図である。
【図１５】図１５は、仕入処理制限情報が禁止端末特定情報である場合に、各端末の制御部によって実行される仕入処理可否判定処理の手順の一例を示すフローチャートである。
【図１６】図１６は、仕入処理制限情報が優先度情報である場合に、各端末の制御部によって実行される仕入処理可否判定処理の手順の一例を示すフローチャートである。
【図１７】図１７は、図１６のステップＳ２３Ａで表示される仕入処理制限画面の一例を示す模式図である。
【図１８】図１８は、仕入処理制限情報が禁止端末特定情報および優先度情報を含んでいる場合に、各端末の制御部によって実行される仕入処理可否判定処理の手順の一例を示すフローチャートである。
【図１９】図１９は、図１５、図１６または図１８の仕入処理可否判定処理に対して付加される条件判別処理の手順の一例を示すフローチャートである。
【図２０】図２０は、賞品払出装置の動作テストを行う際のサービスマンの操作ならびに賞品管理装置、賞品払出装置および管理サーバの動作を説明するためのシーケンス図である。
【図２１】図２１は、テストモード設定が通知された場合に、賞品管理装置によって実行されるテストモード終了制御処理の手順の一例を示すフローチャートである。
【発明を実施するための形態】
【００１５】
以下、図面を参照して、この発明の実施の形態について説明する。
図１は、この発明の一実施形態に係る賞品管理システムの構成を示す模式図である。図２は、賞品払出装置および賞品管理装置を示す模式的な斜視図である。
賞品管理システム１は、例えばパチンコ店等の遊技店において賞品を管理するためのシステムである。賞品は、遊技客が獲得した遊技媒体との間で交換処理が行われるものである。
【００１６】
賞品管理システム１は、賞品管理装置２と、賞品払出装置３と、管理サーバ４と、携帯型通信端末（以下、「携帯端末５」という。）とを含む。賞品管理装置２は、特殊賞品と呼ばれる賞品Ｐや、菓子等の一般賞品の在庫数等を管理する。賞品管理装置２は、特殊賞品Ｐの在庫を管理するためのテーブルとして、店内在庫管理テーブル７６Ａ（図１２参照）と、払出装置別在庫管理テーブル７６Ｂ（図１２参照）とを備えている。店内在庫管理テーブル７６Ａは、遊技店内に存在する賞品Ｐの種類別在庫数を管理するテーブルである。払出装置別在庫管理テーブル７６Ｂは、各賞品払出装置３に収納されている賞品Ｐの種類別在庫数を賞品払出装置３毎に管理するテーブルである。また、賞品管理装置２は、遊技客が獲得した遊技媒体を賞品に交換するための処理（交換処理）を行う。賞品管理装置２は、ＰＯＳ端末の一種であり、遊技施設における受付カウンターＣ上に設置される。
【００１７】
賞品Ｐの一例は、例えば数ミリ程度の厚さを有するカードである。この実施形態では、大賞品、中賞品および小賞品といった、金銭価値に応じた３種類の賞品Ｐが登場するが、大賞品よりも金銭価値の高い特大賞品が存在してもよい。賞品Ｐの表面の色は、賞品Ｐの種類毎に異なっている。一例として、大賞品の表面は赤色であり、中賞品の表面は青色であり、小賞品の表面は黄色である。賞品Ｐは、通い箱６に収容された状態にて市場に流通する。
【００１８】
賞品払出装置３は、賞品Ｐを払い出す装置であり、受付カウンターＣのフロアにおいて賞品管理装置２に隣接して配置されている。賞品払出装置３は、賞品Ｐを保管する機能を有する賞品保管装置でもあり、ＬＡＮ等の通信ラインを介して賞品管理装置２に対して通信可能に接続されている。なお、図１では、１台の賞品管理装置２に１台の賞品払出装置３が接続されているが、１台の賞品管理装置２に複数の賞品払出装置３が接続されてもよい。
【００１９】
賞品Ｐを払い出す際には、遊技店において受付カウンターＣを担当する店員（以下では使用者という）が、賞品管理装置２に設けられたキーボード等の操作部７２またはタッチパネル式ディスプレイ等の表示部７３を操作することによって、賞品Ｐの払出に必要な情報を賞品管理装置２に入力する。すると、賞品管理装置２が賞品払出装置３に対して賞品Ｐの払出を指示するので、賞品払出装置３は、指示に応じた種類および個数の賞品Ｐを払い出す。また、賞品管理装置２は、払い出された賞品Ｐの種類ごとの払出数（出庫数）に基づいて、賞品Ｐの在庫データを更新する。
【００２０】
一方、遊技客によってパチンコ玉等の遊技媒体と一般賞品との交換を依頼された使用者は、指定された一般賞品を操作部７２または表示部７３の操作によって選択してから、この一般賞品を遊技客に手渡す。賞品管理装置２は、操作部７２または表示部７３の操作に応じて、この一般賞品の在庫データを更新する。後述するように、賞品Ｐは、通い箱６に収容された状態のまま賞品払出装置３内にセットされ、賞品払出装置３から払い出される。すなわち、使用者は、賞品Ｐを、手作業によって通い箱６から取り出して賞品払出装置３内に移し替える必要がない。
【００２１】
管理サーバ４は、ストレージサーバとストレージサーバに接続されたＰＣ（パーソナルコンピュータ）とからなる。図１では、ストレージサーバに接続されたＰＣのみが、管理サーバ４として図示されている。管理サーバ４には、賞品管理装置２がＬＡＮ等の通信ラインを介して通信可能に接続されている。また、管理サーバ４は、無線ＬＡＮを介して携帯端末５と通信可能である。管理サーバ４は、賞品（特殊賞品Ｐおよび一般賞品）の情報、会員の情報、遊技媒体の情報、プリペイドカードの有価価値の情報等を総合的に管理する。管理サーバ４は、複数の装置から構成されていてもよい。例えば、管理サーバ４は、主として賞品の情報および会員の情報を管理する賞品・会員管理装置と、主として遊技媒体の情報および有価価値の情報を管理する遊技媒体・有価価値管理装置から構成されていてもよい。
【００２２】
以下において、賞品払出装置３に賞品を収納したり、賞品払出装置から賞品を取り出したりすることを「装填」ということにする。また、賞品払出装置３に賞品を収納することを「プラス装填」といい、賞品払出装置から賞品を取り出すことを「マイナス装填」という場合がある。また、問屋から仕入れられた仕入賞品がそのまま賞品払出装置３へ装填されることを、「仕入」という場合がある。これに対して、複数の賞品払出装置３間において賞品を移動させるために、賞品払出装置３に対して装填を行うことを「補充」という場合がある。また、賞品払出装置３に仕入された仕入賞品に関する情報を含む仕入データを、賞品管理装置２に提供するための処理を「仕入処理」ということにする。
【００２３】
賞品払出装置３について詳しく説明する。賞品払出装置３は、その外殻をなすボックス状に形成された装置本体１１と、装置本体１１に設けられた単数または複数（ここでは３つ）の収納部１２とを含む。なお、図２の紙面の左右方向は、賞品払出装置３の左右方向Ｘと一致し、図２の紙面に略直交する方向は、賞品払出装置３の前後方向Ｙと一致し、図２の紙面の上下方向は、賞品払出装置３の上下方向Ｚと一致している。左右方向Ｘおよび前後方向Ｙは、横方向に含まれる。左右方向Ｘは、左側Ｘ１と右側Ｘ２とを含み、前後方向Ｙは、図２の紙面の手前側に一致した前側Ｙ１と、図２の紙面の奥側に一致した後側Ｙ２とを含み、上下方向Ｚは、上側Ｚ１と下側Ｚ２とを含む。
【００２４】
装置本体１１は、天板１３と、この天板１３を支持する左右一対の側板１４とを有している。天板１３の下面には、前後方向Ｙにスライド可能な複数（例えば収納部１２と同数）の補助テーブル１５が、左右方向Ｘに並んで設けられている。前側Ｙ１へ引き出された補助テーブル１５は、天板１３を拡張するために機能するので、使用者は、天板１３を広く使用することができる。これらの補助テーブル１５の下面には、前後方向Ｙにスライド可能な１つの引出し１６が設けられている。引出し１６には、事務用品等の備品や、遊技施設内の機器についての取扱説明書等の書類が収納される。装置本体１１には、その前面１１Ａのほぼ全域に亘る開口１１Ｂが形成されている。開口１１Ｂの上縁は、引出し１６によって仕切られている。開口１１Ｂは、装置本体１１の内部空間に連通している。
【００２５】
天板１３は、透明な板であり、より具体的にはアクリル板である。天板１３の上面は、装置本体１１の天面を構成している。天板１３の上面は、その略前半分を占める水平面である払出面１３Ａと、払出面１３Ａの後側Ｙ２において左右方向Ｘに延び、払出面１３Ａよりも一段高い段部１３Ｂとを含む。払出面１３Ａにおける後寄りの領域には、左右方向Ｘに長手の払出口１３Ｃが形成されている。払出口１３Ｃは、収納部１２と同数（ここでは３つ）存在し、左右方向Ｘに並んで配置されている。
【００２６】
賞品払出装置３は、払出口１３Ｃを開閉するシャッタ１７と、店側表示部１８と、客側表示部１９とをさらに含む。シャッタ１７は、左右方向Ｘに長手の板状に形成され、払出口１３Ｃと同数存在する。各シャッタ１７は、対応する払出口１３Ｃを閉じた閉位置（２参照）と、段部１３Ｂ内に後退して払出口１３Ｃを開いた開位置との間で前後方向Ｙにスライド可能である。各シャッタ１７は、シャッタ開閉用アクチュエータを備えたシャッタ開閉機構５２（図７参照）によって開閉される。
【００２７】
店側表示部１８は、例えばフルカラー表示のタッチパネルによって構成され、段部１３Ｂに固定されて、段部１３Ｂとなす角度である起立角度が可変とされ、受付カウンターＣの使用者側に臨んでいる。店側表示部１８には、使用者向けの情報が表示される。客側表示部１９は、例えばフルカラー表示のタッチパネルによって構成され、段部１３Ｂに固定されている。客側表示部１９は、遊技媒体と賞品Ｐとの交換のために受付カウンターＣに来る遊技客側に臨んでいる。店側表示部１８および客側表示部１９は、装置本体１１に対して着脱可能に装着されていてもよい。
【００２８】
収納部１２は、賞品Ｐを通い箱６ごと収納するものである。この実施形態では、３つの収納部１２が左右方向Ｘに並んでいる。図２に示すように装置本体１１内に目一杯収容された状態における収納部１２は、前後方向Ｙにおける収容位置にある。図２に示すように全ての収納部１２が収容位置にある場合には、これらの収納部１２の前面が、面一となって開口１１Ｂを塞いだ状態にて、装置本体１１から前側Ｙ１に露出されている。収容位置にある各収納部１２の真上には、装置本体１１の払出面１３Ａにおけるいずれか１つの払出口１３Ｃが位置している。
【００２９】
各収納部１２は、前述した収容位置から、前側Ｙ１の引出位置へ前後方向Ｙに引き出し可能である。使用者は、各収納部１２の前面に設けられた取っ手１２Ａを操作することによって、収納部１２を引出位置まで引き出したり、収容位置まで押し込んだりすることができる。なお、収納部１２の移動は、使用者の手動によって行われてもよいし、装置本体１１内に設けられたモータ等の駆動装置により自動的に行われてもよい。装置本体１１には、各収納部１２を収容位置においてロックしたり、そのロックを解除したりする電動式のロック機構２０（図７参照）が設けられている。
【００３０】
収納部１２について詳しく説明するのに先立って、通い箱６について説明する。図３は、通い箱６の斜視図である。通い箱６は、所定方向（図３では左右方向）に長手のボックス状に形成されていて、例えば樹脂製である。通い箱６は、対向配置された一対の側壁２１と、一対の側壁２１間に架設された少なくとも２つ（図３では６つ）の区画壁２２と、通い箱６の底をなす１つの閉塞壁２３とを一体的に含む。
【００３１】
一対の側壁２１は、通い箱６の長手方向Ｌにおいて長手の略長方形の板状に形成されていて、それぞれの板厚方向に沿って対向するように平行に配置されている。一対の側壁２１の対向方向は、通い箱６において長手方向Ｌに直交する短手方向Ｓである。また、通い箱６の深さ方向Ｄは、長手方向Ｌおよび短手方向Ｓの両方に直交している。
各区画壁２２は、長手方向Ｌに一致した板厚方向を有する略矩形の板状に形成されている。区画壁２２は、一対の側壁２１において長手方向Ｌにおける一端縁間と他端縁間とに１つずつ架設され、残りの区画壁２２は、長手方向Ｌに等間隔で並んだ状態で一対の側壁２１の途中部間に架設されている。そのため、通い箱６には、大きさの等しい略直方体状の５つの収容空間２４が、長手方向Ｌに等間隔で並んで形成されている。
【００３２】
閉塞壁２３は、深さ方向Ｄに一致した板厚方向を有し、長手方向Ｌにおいて長手の略長方形の板状に形成されている。閉塞壁２３は、深さ方向Ｄにおける一方側（図３では下側）から各側壁２１および各区画壁２２に対して接続されていて、各収容空間２４を当該一方側から塞いでいる。各収容空間２４において深さ方向Ｄにおける他方側（図３では上側）の端部は、略矩形状の出入口２５として、当該他方側へ開放されている。
【００３３】
通い箱６は、出入口２５とは別に設けられた開口部２６を含む。開口部２６は、長手方向Ｌにおいて各収容空間２４と同じ位置に一対ずつ、この実施形態では５対設けられている。つまり、開口部２６は、短手方向Ｓにおける通い箱６の両側において、５つずつ長手方向Ｌに等間隔で並んで設けられている。各対における２つの開口部２６は、長手方向Ｌで同じ位置にあって、短手方向Ｓにおける通い箱６の中心を基準として対称になるように構成されている。各開口部２６は、収容空間２４を外部に露出させるスリット状であり、短手方向Ｓにおける閉塞壁２３の端部を切り欠きつつ、短手方向Ｓにおいて当該端部と同じ側にある側壁２１を深さ方向Ｄに沿って切り欠いて、出入口２５の手前まで直線状に延びている。なお、開口部２６の形状は、任意に変更できる。
【００３４】
賞品Ｐを収容して流通しているときの通い箱６の姿勢は、図３に示すように各出入口２５が上を向いた基本姿勢である。賞品Ｐは、出入口２５を介して各収容空間２４に収容される。各収容空間２４の大きさが等しいので、賞品Ｐは、所定数ずつ（この実施形態では２０枚ずつ）、各収容空間２４に収容される。複数の賞品Ｐは、それぞれの板厚方向が短手方向Ｓと一致して閉塞壁２３から起立した姿勢で、各収容空間２４に積層状態で収容され、その状態の各賞品Ｐでは、出入口２５側の部分が出入口２５からはみ出ている。また、前述した所定数の賞品Ｐが収容された収容空間２４（図３における右端の収容空間２４を参照）では、短手方向Ｓの両端に位置する賞品Ｐの一部が、短手方向Ｓにおける同じ側の開口部２６から露出されている。この実施形態では、１つの通い箱６に収容される複数の賞品Ｐの種類は、大賞品、中賞品および小賞品のいずれか一種類である。変形例として、複数種類の賞品Ｐが１つの通い箱６に収容されてもよく、その場合の各収容空間２４には賞品Ｐが一種類ずつ収容される。
【００３５】
次に、収納部１２について詳しく説明する。図４は、収納部１２の模式的な斜視図である。各収納部１２は、前後方向Ｙに並ぶ２つの収納本体部３１と、これらの収納本体部３１の間に配置された繰出払出部３２とを含む。２つの収納本体部３１のうち、前側Ｙ１のものを前側収納本体部３１Ａといい、後側Ｙ２のものを後側収納本体部３１Ｂという場合がある。図４では、各収納本体部３１と繰出払出部３２との境界が１点鎖線で図示されている。収納本体部３１と繰出払出部３２とは一体化されていてもよいし、別々に存在して組み合わされることによって収納部１２を構成してもよい。
【００３６】
各収納本体部３１は、その外殻をなすボックス状に形成された本体３３を含む。収納部１２の上面を構成する本体３３の上面には、略矩形状の装填口３３Ａと、装填口３３Ａを開閉する略矩形板状の扉３３Ｂとが設けられている。扉３３Ｂは、前後方向Ｙにおいて繰出払出部３２に最も近い端部に設けられたヒンジ３３Ｃを介して本体３３に連結されていて、ヒンジ３３Ｃを中心として回動することによって開閉される。収納部１２には、扉３３Ｂ毎にその扉３３Ｂが開放状態であるか閉鎖状態であるかを検出するための扉センサ５３（図７参照）が設けられている。前側収納本体部３１Ａの本体３３の前面は、取っ手１２Ａが設けられた収納部１２の前面を構成している。
【００３７】
図５Ａは、賞品払出装置３の内部の模式的な右側面図である。各収納部１２における各収納本体部３１の本体３３の内部には、左右一対の搬送体３４と、複数（ここでは６つ）のセット部３５とが設けられている。各搬送体３４は、無端状のチェーンまたはベルト（ここではチェーン）によって構成されており、左右方向Ｘから見て例えば略矩形の環状をなしている。搬送体３４は、モータ（図示せず）等の駆動部の駆動力を受けることによって、左右方向Ｘから見て時計回りおよび反時計回りのそれぞれの方向へ向けて周回移動する。この駆動部と搬送体３４とは、移動機構５１を構成する。
【００３８】
各セット部３５は、左右方向Ｘに長手のトレイ状に形成されている。各セット部３５の内部空間は、左右方向Ｘに長手となった通い箱６をちょうど収容できる大きさを有する。
上向き姿勢のセット部３５には、その上面を全域に亘って開放した出入口３５Ａと、前後の両側壁のそれぞれを切り欠いたスリット状の開口部（図示せず）とが形成されている。この開口部は、セット部３５の前壁および後壁において、通い箱６の開口部２６（図３参照）に合致する位置に同数形成され、左右方向Ｘに並んで配置されている。
【００３９】
各セット部３５には、通い箱６が１つずつセットされる。これにより、通い箱６内の賞品Ｐは、通い箱６を介してセット部３５にセットされるとともに、収納部１２内に装填される。通い箱６がセットされたセット部３５では、前述した開口部と通い箱６の開口部２６とが１つずつ整合している。また、１つの通い箱６内には、同じ種類の賞品Ｐが収納されるので、１つのセット部３５には、同じ種類の賞品Ｐがセットされる。しかし、各収納部１２内の前側収納本体部３１Ａおよび後側収納本体部３１Ｂのそれぞれにおいて、セット部３５毎に、賞品Ｐの種類が異なってもよい。つまり、各収納部１２は、複数種類の賞品Ｐ（ここでは、大賞品、中賞品および小賞品）をまとめて収納している。
【００４０】
これらのセット部３５は、左右一対の搬送体３４の周回方向Ｒに沿って環状に並んで配置された状態で、これらの搬送体３４の間に架設されている。そのため、移動機構５１が作動することによって左右の搬送体３４が周回移動すると、これらのセット部３５は、搬送体３４とともに周回移動する。また、各セット部３５は、搬送体３４との連結部分において、左右方向Ｘに延びる回動軸線（図示せず）まわりに回動自在である。そのため、各セット部３５は、原則として、上向き姿勢を維持するように回動しながら、ゴンドラのように周回移動する。
【００４１】
図５Ａを参照するとともに、収納部１２の内部の模式的な平面図である図６も参照して、各収納本体部３１の内部において前後方向Ｙにおける外側の端部（前側収納本体部３１Ａの場合は前端部であり、後側収納本体部３１Ｂの場合は後端部）には、識別計数部３６が配置されている。識別計数部３６は、左右方向Ｘに延びるホルダ３７と、ホルダ３７において繰出払出部３２を臨む側面（前側収納本体部３１Ａの場合は後面であり、後側収納本体部３１Ｂの場合は前面）に設けられた識別部３８および計数部３９とを含む。左右方向Ｘに隣り合った識別部３８および計数部３９が１つの組を構成し、各識別計数部３６では、この組が、左右方向Ｘに等間隔で５組並んでいる。識別計数部３６は、収納本体部３１の本体３３によって支持されており、ステッピングモータ等の駆動部（図示せず）の駆動力を受けて昇降する。
【００４２】
なお、以下の実施形態では識別計数部３６が識別処理と在庫計数処理を行う例を示しているが、賞品の種別を識別する識別処理は必ずしも必須ではなく、賞品数を取得する在庫計数処理のみを行う構成でもよい。このため、本件発明は、以下の記述における「識別計数」を「在庫計数」としても適用することが可能である。また、在庫計数処理は、例えば、補充等のために収納部１２を引き出して戻したことが検知されたとき、賞品管理装置２において所定の指示が行われたことによる指示信号を受信したとき、店側表示部１８で所定の指示が行われたとき、電源がＯＮされたときなどに行われる。
【００４３】
この在庫計数処理を行う複数の指示は、管理サーバ４で表示される制限情報として設定することにより、指示の有効／無効を設定することが可能となっている。例えば、管理サーバ４で設定の選択を行うことにより、賞品管理装置２での所定の指示（例えば、表示部７３の操作）によっては在庫計数処理を行うが、賞品払出装置２における所定の指示（例えば、店側表示部１８の操作）によっては在庫計数処理を行わない設定や、賞品管理装置２での所定の指示によっては在庫計数処理を行わず、賞品払出装置２における所定の指示によって在庫計数処理を行う設定等を適宜切り替えることができるようになっている。この設定により在庫計数処理を行わない場合の構成は、表示部へ操作のための操作表示を全く行わない構成であっても、操作表示を行うが操作を受け付けない構成であっても、在庫計数処理が制限される状態であれば特に限定されない。また、指示自体はなされるが、賞品払出装置が指示の送信元を判定して、有効と設定されている指示のみ受け付ける構成であってもよい。この構成により、店舗の運用に応じて在庫計数処理を行う状況を適宜制限することができるようになる。
【００４４】
識別部３８の一例は、発光部（図示せず）および受光部（図示せず）を含んだカラーセンサである。この場合、発光部が、被検知物である賞品Ｐに対して光を照射し、その反射光を受光部が受光する。識別部３８は、この反射光をＲＧＢ値に変換して分析することによって賞品Ｐの表面の色を検知し、この検知結果に基づいて賞品Ｐの真偽や種類を識別する。なお、識別情報を記憶したＩＣチップが賞品Ｐに内蔵されていて、識別部３８は、非接触でＩＣチップから識別情報を読み取ることによって、賞品Ｐの真偽や種類を識別してもよい。
【００４５】
計数部３９の一例は、発光部（図示せず）および受光部（図示せず）を含んだ光学式の反射型センサである。この場合、発光部が、賞品Ｐに対して光を照射し、その反射光を受光部が受光する。計数部３９は、識別計数部３６の昇降に伴い、通い箱６において上下方向Ｚに積層された賞品Ｐの端部の凸形状を、発光部からの光によってなぞる。これによって、連続する複数の凸形状の輪郭にほぼ一致する波形データが得られるので、計数部３９は、この波形データにおける凸形状の数を数えることによって、賞品Ｐを計数することができる。
【００４６】
繰出払出部３２は、その外殻をなすボックス状に形成された本体４０を含む。本体４０の上面４０Ａには、左右方向Ｘに長手の出口４０Ｂが１つ形成されている（図３も参照）。出口４０Ｂは、本体４０の内部空間４０Ｃを上側Ｚ１に露出させている。収納部１２が収容位置にある状態では、この収納部１２の出口４０Ｂが、左右方向Ｘにおいて同じ位置ある１つの払出口１３Ｃの真下に配置される。繰出払出部３２は、繰出ユニット４１および払出ユニット４２を含む。繰出ユニット４１は、前後一対設けられている。前後２つの繰出ユニット４１のうち、前側Ｘ１のものは、前側収納本体部３１Ａ用の繰出ユニット４１Ａであり、後側Ｘ２のものは、後側収納本体部３１Ｂ用の繰出ユニット４１Ｂである。各繰出ユニット４１は、単数または複数の繰出部４３を含む。
【００４７】
繰出部４３は、左右方向Ｘから見て略三角形の環状をなす無端状の繰出ベルト４４と、繰出ベルト４４の内側において略三角形の各頂点部分に１つずつ配置されたローラ４５と、例えばウレタンで構成された外周面を有する繰出ローラ４６と、繰出ベルト４４の外周面に設けられた繰出部材４７とを含む。繰出ベルト４４は、少なくもいずれかのローラ４５がモータ等の駆動部（図示せず）により駆動回転されることによって、周回移動する。繰出部材４７は、繰出ベルト４４の外周面から突出した爪状に形成され、各繰出ベルト４４において、複数の繰出部材４７が繰出ベルト４４の周回方向に沿って等間隔で設けられている。
【００４８】
各繰出ユニット４１は、モータ等の駆動部（図示せず）の駆動力を受けることによって、待機姿勢と繰出姿勢との間で姿勢変更可能である。待機姿勢にあるときの各繰出ユニット４１は、図５Ａに示すように本体４０の内部空間４０Ｃに収まっていて、各繰出部４３における繰出ベルト４４の平坦部分４４Ａが上下方向Ｚに沿っている。繰出姿勢にあるときの繰出ユニット４１Ａ（図５Ｂ参照）では、繰出部４３が内部空間４０Ｃから前側Ｙ１へはみ出して、繰出部４３の繰出ベルト４４の平坦部分４４Ａが前後方向Ｙに沿って水平になっている。繰出姿勢にあるときの繰出ユニット４１Ｂ（図５Ｂ参照）では、繰出部４３が内部空間４０Ｃから後側Ｙ２へはみ出して、繰出部４３の繰出ベルト４４の平坦部分４４Ａが前後方向Ｙに沿って水平になっている。繰出姿勢にあるときの各繰出ユニット４１では、繰出部４３が、モータ等の駆動部（図示せず）の駆動力を受けることによって左右方向Ｘにスライド可能である。
【００４９】
図６を参照して、本体４０の内部空間４０Ｃにおける略上半分の領域は、複数の鉛直な板状の仕切部４８によって、複数の縦長の繰出空間４０Ｄへと区画されている。繰出空間４０Ｄは、通い箱６の収容空間２４と同数（ここでは５つ）存在し、本体４０の出口４０Ｂの真下において、左右方向Ｘに等間隔で並んでいる。
払出ユニット４２は、払出部４９を含む。払出部４９は、上下方向Ｚに一致した板厚方向を有する略矩形の板状であり、各繰出空間４０Ｄに１つずつ配置されており、合計で５つ存在する。払出ユニット４２は、全ての払出部４９を一括して保持する保持部（図示せず）を含む。全ての払出部４９は、モータ等の駆動部（図示せず）の駆動力を受けることによって、繰出空間４０Ｄの下端に設定された待機位置と、繰出空間４０Ｄの上端に設定された払出位置との間で、保持部と一体となって昇降する。
【００５０】
図７は、賞品払出装置３の電気的構成を示すブロック図である。賞品払出装置３は、制御部５０を含む。制御部５０は、ＣＰＵおよびメモリ（ＲＯＭ，ＲＡＭ等）を備えたマイクロンピュータを含んでおり、装置本体１１に設けられている。制御部５０には、通信インターフェース部（通信ＩＦ部）５４、シャッタ開閉機構５２、ロック機構２０、店側表示部１８、客側表示部１９、記憶部５５等が電気的に接続されている。通信ＩＦ部５４は、制御部５０が、賞品管理装置２と通信を行うためのインターフェースである。
【００５１】
また、制御部５０には、各収納部１２に含まれている電気部品が電気的に接続されている。具体的には、収納部１２に設けられている移動機構５１、識別計数部３６、扉センサ５３および繰出払出部３２が制御部５０に電気的に接続されている。なお、実際には、収納部１２は３つ存在しているが、図７には、説明の便宜上、１つの収納部１２のみが図示され、他の２つは省略されている。
【００５２】
記憶部５５は、不揮発性メモリ、ハードディスク等の記憶デバイスから構成されている。記憶部５５には、特殊賞品在庫管理テーブル５６、装填履歴管理テーブル５７、払出履歴管理テーブル５８等が設けられている。特殊賞品在庫管理テーブル５６は、賞品Ｐの在庫情報を管理するためのテーブルであり、セット部別在庫管理テーブル、収納本体部別在庫管理テーブル、収納部別在庫管理テーブルおよび払出装置内在庫管理テーブルを含む。セット部別在庫管理テーブルには、セット部３５の識別番号別に、当該セット部３５に収納されている賞品Ｐの種類別在庫数が記憶される。収納本体部別在庫管理テーブルには、収納本体部３１の識別番号別に、当該収納本体部３１に収納されている賞品Ｐの種類別在庫数が記憶される。収納部別在庫管理テーブルには、収納部１２の識別番号別に、当該収納部１２に収納されている賞品Ｐの種類別在庫数が記憶される。払出装置内在庫管理テーブルには、賞品払出装置３内に収納されている賞品Ｐの種類別在庫数が記憶される。
【００５３】
装填履歴管理テーブル５７は、賞品Ｐの装填履歴に関する情報（装填データ）を記憶するためのテーブルである。装填データは、図８に示すように、賞品を装填した日時（装填日時）、賞品を装填した使用者を特定するための情報（装填者ＩＤ）、装填された賞品の種類別装填数（賞品装填数）、当該装填データに対して当該賞品払出装置３から仕入処理が行われたか否かを記憶するフラグ（仕入処理済フラグ）等を含む。仕入処理済フラグの初期値は０であり、仕入処理が行われた場合に１に設定される。仕入処理の詳細については、後述する。
【００５４】
装填データは、当該賞品払出装置３に賞品Ｐが装填されるたびに生成されて、装填履歴管理テーブル５７に記憶されるともに、賞品管理装置２に送信される。賞品管理装置２は、賞品払出装置３からの装填データを受信すると、受信した装填データに基づいて、払出装置別在庫管理テーブル７６Ｂ（図１２参照）内の当該賞品払出装置３に対応する在庫データを更新する。
【００５５】
払出履歴管理テーブル５８には、賞品Ｐの払出履歴に関する情報（払出履歴情報）が記憶される。払出履歴情報は、例えば、賞品を払い出した日時、賞品を払い出しを担当した使用者を特定するための情報、払い出された賞品の種類別装填数等を含む。
制御部５０は、制御部５０に接続された入出力機器を制御することによって、識別計数処理、繰出払出処理および装填処理を実行する。識別計数処理は、賞品払出装置３の内部の賞品Ｐを識別して計数するための処理である。繰出払出処理は、賞品払出装置３の内部の賞品Ｐを繰り出して機外（つまり装置本体１１の外）に払い出すための処理である。装填処理は、賞品払出装置３の内部に賞品Ｐを装填するための処理である。これらの処理に関連して、制御部５０は、店側表示部１８や客側表示部１９に必要な情報を表示したり、使用者による店側表示部１８の操作に応じた指示を受け付けたりする。
【００５６】
以下では、識別計数処理、繰出払出処理および装填処理について説明する。
まず、図５Ａおよび図６を参照して、識別計数処理について説明する。制御部５０は、搬送体３４を、前側収納本体部３１Ａでは右側面視において反時計回りに周回移動させ、後側収納本体部３１Ｂでは右側面視において時計回りに周回移動させる。そして、各収納本体部３１では、識別計数処理の対象となるセット部３５が、識別計数部３６の上方に配置された所定位置に上側Ｚ１から接近すると、第１の姿勢変更機構（図示せず）により、図５Ａに示すように、出入口３５Ａが横を向いた横向き姿勢に傾倒する。
【００５７】
前側収納本体部３１Ａでは、前側下端にあるセット部３５が横向き姿勢にあって、このセット部３５の出入口３５Ａが前側Ｙ１を向いている。また、このセット部３５にセットされた通い箱６も、出入口２５が前側Ｙ１を向いた横向き姿勢にあって、通い箱６内の賞品Ｐは、上下方向Ｚに積層された状態で、出入口２５から前側Ｙ１へはみ出しており、当該賞品Ｐの前端面が識別計数部３６側を向いている。後側収納本体部３１Ｂでは、後側下端にあるセット部３５が横向き姿勢にあって、このセット部３５の出入口３５Ａが後側Ｙ２を向いている。また、このセット部３５にセットされた通い箱６も、出入口２５が後側Ｙ２を向いた横向き姿勢にあって、通い箱６内の賞品Ｐは、上下方向Ｚに積層された状態で、出入口２５から後側Ｙ２へはみ出しており、当該賞品Ｐの後端面が識別計数部３６側を向いている。
【００５８】
図５Ａに示すように、セット部３５が上向き姿勢から横向き姿勢に変わって識別計数部３６に上側Ｚ１から接近すると、制御部５０は、搬送体３４の周回移動を停止する。このとき、各収納本体部３１では、識別計数部３６における識別部３８および計数部３９の組（図６参照）が、横向き姿勢のセット部３５にセットされた通い箱６の各収容空間２４に対して１組ずつ左右方向Ｘにおいて同じ位置にある。この状態において、制御部５０は、識別計数部３６を、例えば下端の待機位置から上昇させる。その際、各組における識別部３８および計数部３９が、当該通い箱６において左右方向Ｘで同じ位置にある収容空間２４に前後方向Ｙから対向しながら上昇する。識別部３８は、左右方向Ｘで同じ位置にある収容空間２４に収容されて上下方向Ｚに積層された状態にある賞品Ｐの種類を下側Ｚ２から順に１つずつ非接触で識別し、計数部３９は、当該収容空間２４に収容されて上下方向Ｚに積層された状態にある賞品Ｐを下側Ｚ２から順に１つずつ非接触で計数する。横向き姿勢のセット部３５にセットされた通い箱６の各収容空間２４における全ての賞品Ｐについての識別および計数が完了して識別計数部３６が待機位置まで下降すると、識別計数処理が終了する。
【００５９】
識別計数処理は、全ての収納部１２において一度に実行されてもよいし、使用者による店側表示部１８での操作によって選択された所定の収納部１２において個別に実行されてもよい。また、識別計数処理は、各収納部１２では、前後の両方の収納本体部３１において一度に実行されてもよいし、前後のどちらかの収納本体部３１において個別に実行されてもよい。また、識別計数処理は、各収納本体部３１において、全てのセット部３５にセットされた通い箱６について実行されてもよいし、使用者によって指定されたセット部３５にセットされた通い箱６のみについて実行されてもよい。いずれにせよ、制御部５０は、識別計数処理が行われる毎に、識別計数処理結果に基づいて、特殊賞品在庫管理テーブル５６内の在庫データを更新する。
【００６０】
そして、制御部５０は、更新された在庫データに基づいて、図９Ａに示すような収納部別在庫画面６１および／または図９Ｂに示すようなケース別在庫画面６２を店側表示部１８および／または客側表示部１９に表示する。制御部５０は、収納部別在庫画面６１およびケース別在庫画面６２のいずれか一方を、店側表示部１８に選択可能に表示してもよいし、これらの２つの画面６１，６２を同一画面に表示してもよい。
【００６１】
収納部別在庫画面６１およびケース別在庫画面６２においては、左側、中央および右側の収納部１２は、それぞれレーン左、レーン中およびレーン右として表示されている。収納部別在庫画面６１では、収納部（レーン）毎に賞品種類別の在庫数が表示される。具体的には、図９Ａでは、レーン左に「大賞品」が１３００個、「中賞品」が８００個、「小賞品」が１００個収納され、レーン中に「大賞品」が１３００個、「中賞品」が１０００個、「小賞品」が５００個収納され、レーン右に「大賞品」が１３００個、「中賞品」が８００個、「小賞品」が７００個収納されていることが表示されている。ケース別在庫画面６２では、ケース毎に賞品種類別の在庫数が表示される。具体的には、図９Ｂでは、レーン左、レーン中、レーン右のそれぞれの前側収納本体部３１Ａ及び後側収納本体部３１Ｂに収納された６個の通い箱６をそれぞれ１つのまとまった単位で表示し、それぞれの内部に収納された賞品の数と種類を表示している。なお、図９Ａに示すような収納部別在庫画面６１および図９Ｂに示すようなケース別在庫画面６２においては、内部に収納された賞品が無い場合、あるいは予め設定された数以下である場合には、賞品の在庫が少ないことを表示部の表示に対応させて行う。なお、図示していないが賞品払出装置３全体としての賞品種類別の在庫数についても表示できるようになっている。また、ここでは図９Ａに示すような収納部別在庫画面６１および図９Ｂに示すようなケース別在庫画面６２、並びに賞品払出装置３全体としての賞品種類別の在庫数を別の画面として表示しているが、同一の画面に一括表示する機能を備えていてもよい。なお、店側表示部１８または客側表示部１９がフルカラー表示可能な表示部である場合には、賞品の実際の色と対応した色情報に対応付けて在庫数の表示を行うことができる。
【００６２】
次に、図５Ｂを参照して、繰出払出処理について説明する。繰出払出処理は、通い箱６から賞品Ｐを１枚ずつ繰り出す繰出処理と、繰出処理により繰り出された賞品Ｐを機外へ払い出す払出処理とを含む。繰出処理が始まると、制御部５０は、前側収納本体部３１Ａでは搬送体３４を右側面視において時計回りに周回移動させ、後側収納本体部３１Ｂでは搬送体３４を右側面視において反時計回りに周回移動させる。各収納本体部３１では、繰出処理の対象となるセット部３５が、払出ユニット４２の払出部４９に接近すると、第２の姿勢変更機構（図示せず）により、図５Ｂに示すように、出入口３５Ａが横を向いた横向き姿勢に傾倒する。
【００６３】
このとき、前側収納本体部３１Ａでは、後側上端にあるセット部３５が横向き姿勢にあって、このセット部３５の出入口３５Ａが後側Ｙ２を向いている。また、このセット部３５にセットされた通い箱６も、出入口２５が後側Ｙ２を向いた横向き姿勢にあって、通い箱６内の賞品Ｐは、上下方向Ｚに積層された状態で、出入口２５から後側Ｙ２へはみ出していて、当該賞品Ｐの後端面が繰出払出部３２側を向いている。後側収納本体部３１Ｂでは、前側上端にあるセット部３５が横向き姿勢にあって、このセット部３５の出入口３５Ａが前側Ｙ１を向いている。また、このセット部３５にセットされた通い箱６も、出入口２５が前側Ｙ１を向いた横向き姿勢にあって、通い箱６内の賞品Ｐは、上下方向Ｚに積層された状態で、出入口２５から前側Ｙ１へはみ出していて、当該賞品Ｐの前端面が繰出払出部３２側を向いている。
【００６４】
図５Ｂに示すように、横向き姿勢のセット部３５にセットされた通い箱６内における最下位の賞品Ｐが、払出ユニット４２において待機位置にある払出部４９の上面と上下方向Ｚにおいてほぼ同じ位置になると、制御部５０は、搬送体３４の周回移動を停止する。搬送体３４の周回移動の停止に前後して、制御部５０は、繰出ユニット４１の姿勢を待機姿勢から繰出姿勢に切り換える。繰出姿勢の繰出ユニット４１Ａでは、繰出部４３が、前側収納本体部３１Ａの本体３３の内部空間に後側Ｙ２から進入し、横向き姿勢のセット部３５にセットされた通い箱６の真下に配置される。繰出姿勢の繰出ユニット４１Ｂでは、繰出部４３が、後側収納本体部３１Ｂの本体３３の内部空間に前側Ｙ１から進入し、横向き姿勢のセット部３５にセットされた通い箱６の真下に配置される。
【００６５】
次いで、制御部５０は、繰出部４３における繰出ベルト４４を周回移動させ、繰出ローラ４６を回転させる。このとき、繰出ユニット４１Ａでは、右側面視において繰出ベルト４４が時計回りに周回移動して繰出ローラ４６が反時計回りに回転する。また、繰出ユニット４１Ｂでは、右側面視において繰出ベルト４４が反時計回りに周回移動して繰出ローラ４６が時計回りに回転する。周回移動する繰出ベルト４４に設けられた繰出部材４７が、繰出ベルト４４の平坦部分４４Ａにおいて払出部４９側へ水平移動する。その際、繰出部材４７が、横向き姿勢のセット部３５にセットされた通い箱６の開口部２６（図３参照）に進入して、当該通い箱６の収容空間２４内の最下位の賞品Ｐを引っ掛けて払出部４９側へ繰り出す。
【００６６】
払出部４９側へ繰り出された賞品Ｐは、駆動回転される繰出ローラ４６に接触することによって払出部４９側へ押し出され、左右方向Ｘにおいて同じ位置にある１つの払出部４９上に載る。そして、繰出ベルト４４の周回移動と繰出ローラ４６の回転が繰り返されることによって、横向き姿勢のセット部３５にセットされた通い箱６において各繰出部４３の真上に位置する収容空間２４内の賞品Ｐが、下側Ｚ２の賞品Ｐから順に１つずつ繰り出されて、払出部４９上に集積される。
【００６７】
なお、繰り出された賞品Ｐが払出部４９において上側Ｚ１に集積されるように、賞品Ｐの繰り出しの度に、制御部５０は、払出部４９を待機位置から徐々に下降させてもよい。また、制御部５０は、繰出部４３を左右方向に移動させて、先ほど賞品Ｐを繰り出した収容空間２４とは別の収容空間２４の賞品Ｐを繰出部４３によって繰り出してもよい。この場合、当該別の収容空間２４から繰り出された賞品Ｐは、先ほどの払出部４９とは別の払出部４９に集積される。通い箱６における全ての収容空間２４が空になると、制御部５０は、繰出ユニット４１を一旦待機姿勢に戻した後に搬送体３４を周回移動させ、別の通い箱６がセットされたセット部３５を横向き姿勢にする。その後、制御部５０は、繰出ユニット４１を繰出姿勢に姿勢変更して、当該別の通い箱６から賞品Ｐを繰り出す。
【００６８】
以上の繰出処理が完了すると、制御部５０は、払出処理を開始する。具体的には、制御部５０は、払出処理の対象となる収納部１２の真上のシャッタ１７を、図５Ｂに示す開位置までスライドさせる。これにより、このシャッタ１７によって開閉される払出口１３Ｃと、この収納部１２の出口４０Ｂとが上側Ｚ１へ開放される。そして、制御部５０は、この収納部１２における５つ全ての払出部４９を、破線にて示す払出位置まで上昇させる。これにより、各払出部４９上に繰り出された賞品Ｐが、出口４０Ｂおよび払出口１３Ｃから上側Ｚ１に露出されることによって機外へ払い出されるので、使用者は、払出部４９上の賞品Ｐを受け取ることができる。
【００６９】
払出部４９上の賞品Ｐが使用者によって取り出された後に、制御部５０は、払出部４９を待機位置まで下降させる。さらに、制御部５０は、今まで開位置にあったシャッタ１７を閉位置までスライドさせ、各繰出ユニット４１を繰出姿勢から待機姿勢（図５Ａ参照）まで戻す。これにより、払出処理が終了し、一連の繰出払出処理が完了する。
次に、装填処理について説明する。使用者が賞品払出装置３に賞品を装填する場合には、問屋から仕入れた仕入賞品をそのまま賞品払出装置３に装填（仕入）する場合と、複数の賞品払出装置３間で賞品を移動するために賞品を装填（補充）する場合とがある。
【００７０】
まず、問屋から仕入れた仕入賞品を、使用者がそのまま賞品払出装置３に装填する場合の装填処理について説明する。使用者が、店側表示部１８を操作することによって、装填処理の対象となる収納部１２を１つ選択する。すると、制御部５０は、選択された収納部１２についてのロック機構２０によるロックを解除することによって、この収納部１２の引出位置までの引き出しを許可する。次に、使用者が、ロックが解除された収納部１２の取っ手１２Ａを掴んで前側Ｙ１に引くと、この収納部１２は、図１０に示す引出位置まで引き出される。
【００７１】
引出位置には、収納部１２が目一杯引き出されたときの位置である最大引出位置と、収容位置と最大引出位置との間の途中引出位置とがある。最大引出位置まで引き出された収納部１２では、前側収納本体部３１Ａおよび後側収納本体部３１Ｂの両方が装置本体１１（１点鎖線で示した装置本体１１）よりも前側Ｙ１に位置しており、これらの収納本体部３１の上面の装填口３３Ａが装置本体１１の外に配置されている。途中引出位置まで引き出された収納部１２では、後側収納本体部３１Ｂが装置本体１１内に残っていて、少なくとも前側収納本体部３１Ａが装置本体１１（２点鎖線で示した装置本体１１）よりも前側Ｙ１に位置しており、前側収納本体部３１Ａの上面の装填口３３Ａが装置本体１１の外に配置されている。最大引出位置または途中引出位置まで引き出された収納部１２では、装填口３３Ａから当該収納部１２内に賞品Ｐを装填することができる。
【００７２】
収納部１２が最大引出位置または途中引出位置まで引き出された後に、使用者は、収納本体部３１（図１０では前側収納本体部３１Ａを参照）の扉３３Ｂを開いて装填口３３Ａを上側Ｚ１に開放する。扉３３Ｂが開放されるのに先だって、制御部５０は、収納本体部３１内の移動機構５１を制御して、空の２つのセット部３５が、収納本体部３１内の上部でかつ装填口３３Ａの真下の位置（以下、「装填位置」という）において前後に並んで配置されるまで、搬送体３４を周回移動させることが可能である。空のセット部３５とは、通い箱６がセットされていないセット部３５、または、エンプティの状態の通い箱６がセットされたセット部３５を指す。扉３３Ｂが開かれると、扉センサ５３によって扉３３Ｂが開かれたことが検知される。制御部５０は扉センサ５３によって扉３３Ｂによって扉３３Ｂが開放されていることが検知されている間は、当該扉３３Ｂが設けられた収納本体部３１内の移動機構５１が駆動されるのを禁止する。
【００７３】
使用者は、賞品Ｐを収容した基本姿勢の状態の通い箱６を、白抜き矢印で示すように下降させて装填口３３Ａを通過させ、装填位置にある上向き姿勢のセット部３５の出入口２５に上側Ｚ１から挿入する。これにより、通い箱６が、装填位置にあるセット部３５にセットされ、通い箱６内の賞品Ｐは、収納部１２内に装填される。なお、空のセット部３５が、エンプティの状態の通い箱６がセットされたセット部３５である場合には、当該セット部３５が取り出された後に、賞品Ｐが収容された新たな通い箱６が装填位置にあるセット部３５にセットされる。セット位置のセット部３５に通い箱６がセットされてから扉３３Ｂが閉じられると、制御部５０は、他の空のセット部３５が装填位置に配置されるように、搬送体３４を周回移動させる。
【００７４】
同様な操作により、他の空のセット部３５にも通い箱６がセットされると、使用者は、扉３３Ｂを閉じて、引出位置の収納部１２の取っ手１２Ａを掴んで収容位置まで戻す。収納部１２が収容位置まで戻されると、制御部５０は、ロック機構２０によって収容位置にてロックする。これにより、この収納部１２についての装填処理が終了する。
なお、収納部１２が収容位置まで戻されて、ロック機構２０によってロックされると、制御部５０は、当該収納部１２内の賞品に対して識別計数処理を行い、その識別計数処理結果を用いて、賞品払出装置３内の賞品装填後の賞品在庫数（種類別在庫数）を算出する。そして、制御部５０は、賞品装填後の賞品在庫数から賞品装填前の賞品在庫数を減算することにより、装填された賞品の種類別装填数（賞品装填数）を算出する。そして、賞品払出装置３は、算出された賞品装填数を含む装填履歴情報（装填データ）を作成して、記憶部５５内の装填履歴管理テーブル５７に記憶するとともに、賞品管理装置２に送信する（装填データ作成・記憶・送信処理）。賞品管理装置２は、賞品払出装置３からの装填データを受信すると、受信した装填データに基づいて払出装置別在庫管理テーブル７６Ｂ（図１２参照）内の当該賞品払出装置３に対応する在庫データを更新する。
【００７５】
前述した装填処理では、扉３３Ｂが閉じられたときには、制御部５０は、他の空のセット部３５が装填位置に配置されるように、搬送体３４を周回移動させている。しかし、使用者の設定によって、制御部５０は、扉３３Ｂが閉じられたときに、搬送体３４を所定の周回方向に所定量だけ移動させて、装着位置に現在配置されている２つのセット部３５に対して隣接する他の２つのセット部３５を装填位置に配置させることも可能である。以下において、このような設定を、セット部巡回移動設定という場合がある。
【００７６】
複数の賞品払出装置３間で賞品を移動するために賞品を装填する場合の装填処理について説明する。ここでは、店内に複数の賞品払出装置３が存在しているものとし、ある第１の賞品払出装置３から賞品Ｐが収容されている所定の通い箱６を取り出し、他の第２の賞品払出装置３に当該通い箱６を装填する場合について説明する。
まず、第１の賞品払出装置３から賞品Ｐが収容されている所定の通い箱６を取り出す場合の使用者の操作および制御部５０の動作について説明する。使用者は、第１の賞品払出装置３の複数の収納部１２から装填対象（この場合はマイナス装填対象）となる収納部１２を選択し、収納部１２を引き出し、扉３３Ｂを開ける。この間の制御部５０の動作は、前述した制御部５０の動作と同様である。
【００７７】
この後、使用者は、セット部巡回移動設定を行った後、取り出すべき通い箱６（賞品Ｐが収容されている通い箱６）がセットされているセット部３５が装填位置にくるまで、扉３３Ｂを閉めたり、開けたりする。そして、取り出すべき通い箱６がセットされているセット部３５が装填位置にくると、使用者は、当該セット部３５から通い箱６を取り出す。この後、使用者は、扉３３Ｂを閉じて、収納部１２を収容位置まで戻す。収納部１２が収容位置まで戻されると、制御部５０は、ロック機構２０によって収容位置にてロックする。この後、制御部５０は前述したと同様な処理(識別計数処理、装填データ作成・記憶・送信処理)を行う。
【００７８】
第１の賞品払出装置３から取り出した通い箱６を、第２の賞品払出装置３に装填する場合の使用者の操作および制御部５０の動作について説明する。使用者は、第２の賞品払出装置３の複数の収納部１２から装填対象（この場合はプラス装填対象）となる収納部１２を選択し、収納部１２を引き出し、扉３３Ｂを開ける。この間の制御部５０の動作は、前述した制御部５０の動作と同様である。
【００７９】
この後、使用者は、セット部巡回移動設定を行った後、通い箱６をセットすべきセット部３５が装填位置にくるまで、扉３３Ｂを閉めたり、開けたりする。そして、通い箱６をセットすべきセット部３５が装填位置にくると、使用者は、当該セット部３５に通い箱６をセットする。この後、使用者は、扉３３Ｂを閉じて、収納部１２を収容位置まで戻す。収納部１２が収容位置まで戻されると、制御部５０は、ロック機構２０によって収容位置にてロックする。この後、制御部５０は前述したと同様な処理(識別計数処理、装填データ作成・記憶・送信処理)を行う。
【００８０】
図１１は、賞品管理装置、管理サーバおよび携帯端末の電気的構成を示すブロック図である。
賞品管理装置２は、制御部７０を含む。制御部７０は、ＣＰＵおよびメモリ（ＲＯＭ，ＲＡＭ等）を備えたマイクロンピュータを含んでいる。制御部７０には、通信インターフェース部（通信ＩＦ部）７１、操作部７２、表示部（操作表示部）７３、記憶部７４等が接続されている。
【００８１】
通信ＩＦ部７１は、制御部７０が賞品払出装置３および管理サーバ４と通信を行うためのインターフェースである。操作部７２は、キーボード、マウス等を含む。表示部７３は、例えば、タッチパネル式ディスプレイである。記憶部７４は、不揮発性メモリ、ハードディスク等の記憶デバイスから構成されている。記憶部７４には、一般賞品在庫管理テーブル７５、特殊賞品在庫管理テーブル７６および仕入履歴管理テーブル７７が設けられている。記憶部７４には、図示しないが、会員の情報を会員カードＩＤに対応付けて管理するためのテーブル、遊技媒体の情報をカードＩＤ（会員カードＩＤ、プリペイドカードＩＤ）に対応付けて管理するためのテーブル、プリペイドカードの有価価値の情報をカードＩＤ（会員カードＩＤ、プリペイドカードＩＤ）に対応付けて管理するためのテーブル等も設けられている。
【００８２】
一般賞品在庫管理テーブル７５は、一般賞品の在庫管理を行うための在庫管理テーブルである。一般賞品在庫管理テーブル７５には、受付カウンターＣ（図２参照）の周囲の棚や事務所に保管されている一般賞品の種類別在庫数が記憶される。
特殊賞品在庫管理テーブル７６は、図１２（ａ）（ｂ）に示すように、店内在庫管理テーブル７６Ａと、払出装置別在庫管理テーブル７６Ｂ等を含んでいる。店内在庫管理テーブル７６Ａには、図１２（ａ）に示すように、遊技店内に存在する賞品Ｐの種類別在庫数が店内在庫データとして記憶される。店内在庫データは、主として、売り上げ管理に利用される。店内在庫管理テーブル７６Ａ内の店内在庫データは、後述する仕入データに基づいて更新される。
【００８３】
払出装置別在庫管理テーブル７６Ｂには、図１２（ｂ）に示すように、店内に存在する賞品払出装置３毎に、その賞品払出装置３内に収納されている賞品Ｐの種類別在庫数が払出装置別在庫データとして記憶される。払出装置別在庫データは、主として、賞品払出装置３からの賞品Ｐの払出（出庫）が可能か否かを判断するために用いられる。払出装置別在庫管理テーブル７６Ｂ内の払出装置別在庫データは、前述したように、賞品払出装置３から送られてくる装填データに基づいて更新される。また、賞品管理装置２は、表示部７３にて所定の操作を受け付けた場合に、通信ＩＦ部７１を介して賞品払出装置３に対し在庫計数処理を指示することができる。この場合においても、払出装置在庫データは、賞品払出装置３から送られてくるデータに基づいて更新される。
【００８４】
仕入履歴管理テーブル７７は、賞品Ｐの仕入履歴に関する情報である仕入データを記憶するためのテーブルである。この実施形態では、仕入データは、賞品管理装置２、携帯端末５および賞品払出装置３の各端末から、賞品管理装置２に提供（入力または送信）することが可能となっている。つまり、この実施形態では、これらの各端末２，３，５から仕入処理が可能である。仕入データは、図１２（ｃ）に示すように、仕入処理を行った日時（仕入処理日時）、仕入処理を行った使用者を特定するための情報（仕入処理者ＩＤ）、仕入処理が行われた端末の識別情報（仕入処理端末ＩＤ）、仕入賞品の種類別仕入数（賞品仕入数）等を含む。
【００８５】
以下において、賞品管理装置２、携帯端末５および賞品払出装置３を、それぞれ「端末２」、「端末３」および「端末５」という場合がある。また、これらの端末を区別する必要がない場合には、各端末を「端末Ｔ」という場合がある。この実施形態では、仕入処理は、各端末Ｔによって異なる。仕入処理の詳細については後述する。
図１１に戻り、携帯端末５は、制御部９０を含む。制御部９０は、ＣＰＵおよびメモリ（ＲＯＭ，ＲＡＭ等）を備えたマイクロンピュータを含んでいる。制御部９０には、無線通信インターフェース部（無線通信ＩＦ部）９１、操作部９２、表示部（操作表示部）９３、記憶部９４等が接続されている。無線通信ＩＦ部９１は、制御部９０が管理サーバ４と無線通信を行うためのインターフェースである。操作部９２は複数の操作ボタン等を含む。表示部９３は、例えば、タッチパネル式ディスプレイである。記憶部９４は、不揮発性メモリ等の記憶デバイスから構成されている。
【００８６】
管理サーバ４は、制御部８０を含む。制御部８０は、ＣＰＵおよびメモリ（ＲＯＭ，ＲＡＭ等）を備えたマイクロンピュータを含んでいる。制御部８０には、通信インターフェース部（通信ＩＦ部）８１、無線通信インターフェース部（無線通信ＩＦ部）８２、操作部８３、表示部（操作表示部）８４、記憶部８５等が接続されている。
通信ＩＦ部８１は、制御部８０が賞品管理装置２と通信を行うためのインターフェースである。無線通信ＩＦ部８２は、制御部８０が携帯端末５と無線通信を行うためのインターフェースである。操作部８３は、キーボード、マウス等を含む。表示部８４は、例えば、タッチパネル式ディスプレイである。
【００８７】
記憶部８５は、不揮発性メモリ、ハードディスク等の記憶デバイスから構成されている。記憶部８５には、一般賞品在庫管理テーブル８６、特殊賞品在庫管理テーブル８７、仕入処理制限情報記憶部８８等が設けられている。一般賞品在庫管理テーブル８６には、賞品管理装置２の一般賞品在庫管理テーブル７５と同様な在庫データが記憶される。特殊賞品在庫管理テーブル８７には、賞品管理装置２の特殊賞品在庫管理テーブル７６と同様な在庫データが記憶される。
【００８８】
この実施形態では、特定の使用者は、管理サーバ４に対して、賞品管理装置２、賞品払出装置３および携帯端末５のうちの少なくとも１つの端末からの仕入処理に対して制限を加えるための仕入処理制限情報を入力することができる。特定の使用者とは、仕入処理制限情報を設定できる権限を有する使用者である。管理サーバ４に対して入力された仕入処理制限情報は、仕入処理制限情報記憶部８８に記憶される。
【００８９】
賞品管理装置２、賞品払出装置３および携帯端末５は、電源オン時に仕入処理制限情報記憶部８８に記憶されている仕入処理制限情報を取得して、例えばＲＡＭ等のメモリに記憶する。これらの各端末２，３，５は、仕入処理を行うための操作が使用者によって行われたときには、メモリに記憶されている仕入処理制限情報に基づいて、仕入処理が実行可能であるか否かを判別するための仕入可否判定処理を行う。そして、各端末２，３，５は、仕入可否判定処理において、仕入処理が可能であると判定されたときには、仕入処理を実行する。一方、仕入可否判定処理において、仕入処理が実行不可能であると判定されたときには、各端末２，３，５は、仕入処理を実行することなく仕入可否判定処理を終了する。
【００９０】
図１３は、賞品管理装置、賞品払出装置および携帯端末が、管理サーバから仕入処理制限情報を取得するための動作を説明するためのシーケンス図である。
賞品管理装置２および賞品払出装置３の電源がオンされると、賞品管理装置２から管理サーバ４に対して、仕入処理制限情報の送信を要求するための要求メッセージを送信する（シーケンス番号［Ｓ１］）。管理サーバ４は、この要求メッセージを受信すると、仕入処理制限情報記憶部８８内から仕入処理制限情報を読み出して、仕入処理制限情報を含む応答メッセージを賞品管理装置２に送信する（シーケンス番号［Ｓ２］）。
【００９１】
賞品管理装置２は、この応答メッセージを受信すると、応答メッセージに含まれている仕入処理制限情報をメモリに記憶する。この後、賞品管理装置２は、仕入処理制限情報を含む通知メッセージを賞品払出装置３に送信する（シーケンス番号［Ｓ３］）。賞品払出装置３は、この通知メッセージを受信すると、通知メッセージに含まれている仕入処理制限情報をメモリに記憶した後、賞品管理装置２に前記通知メッセージに対する通知応答メッセージを送信する（シーケンス番号［Ｓ４］）。
【００９２】
一方、携帯端末５の電源がオンされると、携帯端末５から管理サーバ４に対して、仕入処理制限情報の送信を要求するための要求メッセージを送信する（シーケンス番号［Ｓ５］）。管理サーバ４は、この要求メッセージを受信すると、仕入処理制限情報記憶部８８内から仕入処理制限情報を読み出して、仕入処理制限情報を含む応答メッセージを携帯端末５に送信する（シーケンス番号［Ｓ６］）。
【００９３】
携帯端末５は、この応答メッセージを受信すると、応答メッセージに含まれている仕入処理制限情報をメモリに記憶する。
仕入処理制限情報は、例えば、次のようにして管理サーバ４に入力される。管理サーバ４の操作部８３または表示部８４に対して、特定の使用者が、仕入処理制限情報の設定を行うための操作を行うと、制御部８０は制限情報設定画面を表示部８４に表示する。特定の使用者は、制限情報設定画面に従って、仕入処理制限情報を設定する。このようにして仕入処理制限情報が設定されると、制御部８０は、設定された仕入処理制限情報を仕入処理制限情報記憶部８８に記憶する。
【００９４】
仕入処理制限情報は、例えば、複数の端末２，３，５のうち仕入処理を禁止すべき端末を特定するための禁止端末特定情報であってもよい。禁止端末特定情報は、仕入処理を禁止すべき端末（以下、「禁止端末」という場合がある。）を特定する情報であってもよいし、仕入処理を許可すべき端末（以下、「許可端末」という場合がある。）を特定する情報であってもよい。この場合、制限情報設定画面は、例えば、賞品管理装置２、賞品払出装置３および携帯端末５のうちから、許可端末および禁止端末のいずれか一方または両方を選択設定させるための画面であってもよい。
【００９５】
図１４Ａは、制限情報設定画面の一例を示している。この制限情報設定画面１２０では、賞品管理装置２、賞品払出装置３および携帯端末５のそれぞれに対して、当該端末を許可端末として設定するためのチェックボックス１２１、１２２、１２３が表示されている。特定の使用者は、許可端末として設定すべき端末に対応するチェックボックス１２１、１２２、１２３をクリックする。これにより、そのチェックボックス内にチェックマークが表示され、対応する端末が許可端末として設定される。
【００９６】
図１４Ａの制限情報設定画面１２０のようにも、許可端末のみが設定される場合には、端末２，３，５のうち、許可端末として設定された端末以外の端末は禁止端末として扱われる。禁止端末のみが設定される場合には、端末２，３，５のうち、禁止端末として設定された端末以外の端末は許可端末として扱われる。
図１５は、仕入処理制限情報が禁止端末特定情報である場合に、各端末の制御部によって実行される仕入処理可否判定処理の手順を示すフローチャートである。
【００９７】
図１５の仕入処理可否判定処理は、いずれかの端末Ｔに対して使用者が仕入処理を行うための操作が行われることによって開始される。以下においては、端末Ｔの制御部を、単に端末Ｔという場合がある。
端末Ｔは、仕入処理可否判定処理が開始されると、メモリ内の仕入処理制限情報（この例では禁止端末特定情報）に基づいて、自己が許可端末であるか否かを判別する(ステップＳ１１)。自己が許可端末である場合には(ステップＳ１１：ＹＥＳ)、端末Ｔは、仕入処理に移行する(ステップＳ１２)。
【００９８】
前記ステップＳ１１において、自己が禁止端末であると判別された場合には(ステップＳ１１：ＮＯ)、端末Ｔは、仕入処理を実行できないことまたは仕入処理を実行できなかったことを表す警告表示を行った後(ステップＳ１３：ＮＯ)、今回の仕入処理可否判定処理を終了する。したがって、この場合には、仕入処理が禁止される。
仕入処理について具体的に説明する。前述したように、この実施形態では、仕入処理は端末Ｔによって異なる。端末Ｔが賞品払出装置３である場合の仕入処理について説明する。この場合、仕入処理は、仕入データを取得して作成する仕入データ取得・作成処理と、仕入データ取得・作成処理によって作成された仕入データを賞品管理装置２に送信する仕入データ送信処理とからなる。
【００９９】
仕入データ取得・作成処理においては、賞品払出装置３は、仕入処理を行おうとしている使用者に、使用者識別情報（使用者ＩＤ）を入力させるための使用者ＩＤ入力画面を表示する。使用者は、使用者ＩＤ入力画面上で使用者ＩＤを入力する。この際、バーコードリーダを利用して使用者ＩＤを入力させるようにしてもよい。使用者ＩＤが入力されると、賞品払出装置３は、装填履歴管理テーブル５７（図７，図８参照）に記憶されている装填データを店側表示部１８にリスト表示する。この際、装填データは、例えば、古いものから新しいものへと並べられて表示されるが、１ページ（１画面）に収まらない場合には、最新の装填データを含むページが表示されることが好ましい。
【０１００】
使用者は、リスト表示された装填データから、仕入処理を行いたい装填データ（仕入処理対象の装填データ）を選択する。この後、使用者が確定操作を行うと、賞品払出装置３は、使用者によって入力された使用者ＩＤ、使用者によって選択された装填データ、現在日時、当該賞品払出装置３を特定するための端末ＩＤ、仕入データであることを示す識別情報等を含む仕入データを作成する。そして、賞品払出装置３は、作成された仕入データを賞品管理装置２に送信する。賞品管理装置２は、仕入データを仕入履歴管理テーブル７７に記憶するとともに、店内在庫管理テーブル７６Ａ内の店内在庫データを更新する。
【０１０１】
このようにして仕入処理が行われた装填データに対しては、賞品払出装置３は、装填履歴管理テーブル５７（図８参照）内の当該装填データに対する仕入処理済フラグの値を１に設定する。仕入処理済フラグの値が１に設定されると、その後において装填データがリスト表示される際には、当該装填データは仕入処理対象の装填データとして選択不可能な状態で表示される。
【０１０２】
端末Ｔが携帯端末５である場合の仕入処理について説明する。この場合、仕入処理は、仕入データを取得して作成する仕入データ取得・作成処理と、仕入データ取得・作成処理によって作成された仕入データを賞品管理装置２に送信する仕入データ送信処理とからなる。
仕入データ取得・作成処理においては、携帯端末５は、仕入処理を行おうとしている使用者に、使用者ＩＤを入力させるためのＩＤ入力画面を表示する。使用者は、ＩＤ入力画面上で使用者ＩＤを入力する。この際、携帯端末５が有するバーコード読取機能を利用して使用者ＩＤを入力するようにしてもよい。使用者ＩＤが入力されると、携帯端末５は、仕入賞品の種類別仕入数（賞品仕入数）を入力させるための仕入数入力画面を表示する。使用者は、仕入数入力画面上で賞品仕入数を入力する。この後、使用者が確定操作を行うと、携帯端末５は、使用者によって入力された使用者ＩＤおよび賞品仕入数、現在日時、当該携帯端末５を特定するための端末ＩＤ、仕入データであることを示す識別情報等を含む仕入データを作成する。そして、携帯端末５は、作成された仕入データを賞品管理装置２に送信する。賞品管理装置２は、仕入データを仕入履歴管理テーブル７７に記憶するとともに、店内在庫管理テーブル７６Ａ内の店内在庫データを更新する。
【０１０３】
端末Ｔが賞品管理装置２である場合の仕入処理について説明する。この場合、仕入処理は、仕入データを取得して作成する仕入データ取得・作成処理と、仕入データ取得・作成処理によって作成された仕入データを仕入履歴管理テーブル７７に記憶する仕入データ記憶処理とからなる。
仕入データ取得・作成処理においては、賞品管理装置２は、仕入処理を行おうとしている使用者に、使用者ＩＤを入力させるためのＩＤ入力画面を表示する。使用者は、ＩＤ入力画面上で使用者ＩＤを入力する。この際、バーコードリーダを利用して使用者ＩＤを入力するようにしてもよい。使用者ＩＤが入力されると、賞品管理装置２は、仕入賞品の種類別仕入数（賞品仕入数）を入力させるための仕入数入力画面を表示する。使用者は、仕入数入力画面上で賞品仕入数を入力する。この後、使用者が確定操作を行うと、賞品管理装置２は、使用者によって入力された使用者ＩＤおよび賞品仕入数、現在日時、当該賞品管理装置２を特定するための端末ＩＤ等を含む仕入データを作成して、仕入履歴管理テーブル７７に記憶するとともに、店内在庫管理テーブル７６Ａ内の店内在庫データを更新する。
【０１０４】
仕入処理制限情報は、例えば、複数の端末２，３，５に対して、その端末が仕入処理の優先度が高い端末（以下、「高優先度端末」という場合がある。）であるか低い端末（以下、「低優先度端末」という場合がある。）であるかを表す優先度情報であってもよい。この場合、管理サーバ４で表示される制限情報設定画面は、例えば、賞品管理装置２、賞品払出装置３および携帯端末５それぞれに対して、その端末が高優先度端末であるか低優先度端末であるかを選択設定させるための画面であってもよい。
【０１０５】
このような制限情報設定画面の一例を、図１４Ｂに示す。この制限情報設定画面１３０では、賞品管理装置２、賞品払出装置３および携帯端末５のそれぞれに対して、当該端末を高優先度端末として設定するためのチェックボックス１３１、１３２、１３３が表示されている。特定の使用者は、高優先度端末として設定すべき端末に対応するチェックボックス１３１、１３２、１３３をクリックする。これにより、そのチェックボックス内にチェックマークが表示され、対応する端末が高優先度端末として設定される。この場合、高優先度端末として設定されなかった端末は、低優先度端末であると判別される。
【０１０６】
図１６は、仕入処理制限情報が優先度情報である場合に、各端末の制御部によって実行される仕入処理可否判定処理の手順を示すフローチャートである。
図１６の仕入処理可否判定処理は、いずれかの端末Ｔに対して使用者が仕入処理を行うための操作が行われることによって開始される。
端末Ｔは、仕入処理可否判定処理が開始されると、メモリ内の仕入処理制限情報（この例では優先度情報）に基づいて、自己が高優先度端末であるか否かを判別する(ステップＳ２１)。自己が高優先度端末である場合には(ステップＳ２１：ＹＥＳ)、端末Ｔは、仕入処理に移行する(ステップＳ２２)。
【０１０７】
ステップＳ２１において、自己が低優先度端末であると判別された場合には(ステップＳ２１：ＮＯ)、端末Ｔは、ステップＳ２３Ａ、ステップＳ２３ＢおよびステップＳ２３Ｃの制限処理を行う。
具体的には、端末Ｔは、図１７に示すように、使用者に仕入処理制限画面１１０を表示部７３，１８，９３に表示する(ステップＳ２３Ａ)。仕入処理制限画面１１０は、当該端末からの仕入処理が推奨されていないことを表す警告メッセージ等と、仕入処理に移行するか否かを使用者に選択させるための２つボタン１１１，１１２とを含む。一方のボタン１１１は、仕入処理に移行せずに仕入処理可否判定処理を終了するための終了ボタンである。他方のボタン１１２は、仕入処理に移行するための仕入処理移行ボタンである。この後、端末Ｔは、終了ボタン１１１が操作されたか、仕入処理移行ボタン１１２が操作されたかを監視する（ステップＳ２３ＢおよびステップＳ２３Ｃ）。
【０１０８】
終了ボタン１１１が操作された場合には(ステップＳ２３Ｂ：ＹＥＳ)、端末Ｔは、仕入処理を実行できないことまたは仕入処理を実行できなかったことを表す警告表示を行った後(ステップＳ２４)、今回の仕入処理可否判定処理を終了する。したがって、この場合には、仕入処理が禁止される。一方、仕入処理移行ボタン１１２が操作された場合には(ステップＳ２３Ｃ：ＹＥＳ)、端末Ｔは、仕入処理に移行する(ステップＳ２２)。
【０１０９】
仕入処理制限情報は、例えば、前記禁止端末特定情報と、前記禁止端末特定情報によって特定される前記許可端末に対してその端末が仕入処理の優先度が高い端末であるか低い端末であるかを表す優先度情報とを含んでいてもよい。このような禁止端末特定情報および優先度情報を設定するための制限情報設定画面の一例を、図１４Ｃに示す。
この制限情報設定画面１４０では、賞品管理装置２、賞品払出装置３および携帯端末５のそれぞれに対して、当該端末を許可端末として設定するためのチェックボックス１４１、１４２、１４３と、賞品管理装置２、賞品払出装置３および携帯端末５のそれぞれに対して、当該端末を高優先度端末として選択するためのチェックボックス１４４、１４５、１４６が表示される。ただし、チェックボックス１４４、１４５、１４６は、当該端末が許可端末として設定されている場合にのみチェックすることが可能である。
【０１１０】
図１８は、仕入処理制限情報がこのような禁止端末特定情報および優先度情報を含んでいる場合に、各端末の制御部によって実行される仕入処理可否判定処理の手順を示すフローチャートである。
図１８の仕入処理可否判定処理は、いずれかの端末Ｔに対して使用者が仕入処理を行うための操作が行われることによって開始される。
【０１１１】
端末Ｔは、仕入処理可否判定処理が開始されると、メモリ内の仕入処理制限情報に含まれている禁止端末特定情報に基づいて、自己が許可端末であるか否かを判別する(ステップＳ１１)。自己が禁止端末である場合には(ステップＳ１１：ＮＯ)、端末Ｔは、仕入処理を実行できないことまたは仕入処理を実行できなかったことを表す警告表示を行った後(ステップＳ２４)、今回の仕入処理可否判定処理を終了する。
【０１１２】
ステップＳ１１において、自己が許可端末であると判別された場合には(ステップＳ１１：ＹＥＳ)、端末Ｔは、メモリ内の仕入処理制限情報に含まれている優先度情報に基づいて、自己が高優先度端末であるか否かを判別する(ステップＳ２１)。自己が高優先度端末である場合には(ステップＳ２１：ＹＥＳ)、端末Ｔは、仕入処理に移行する(ステップＳ２２)。
【０１１３】
ステップＳ２１において、自己が低優先度端末であると判別された場合には(ステップＳ２１：ＮＯ)、端末Ｔは、ステップＳ２３Ａ、ステップＳ２３ＢおよびステップＳ２３Ｃの制限処理を行う。
具体的には、端末Ｔは、使用者に前述した仕入処理制限画面１１０（図１７参照）を表示部７３，１８，９３に表示する(ステップＳ２３Ａ)。この後、端末Ｔは、終了ボタン１１１が操作されたか、仕入処理移行ボタン１１２が操作されたかを監視する（ステップＳ２３ＢおよびステップＳ２３Ｃ）。
【０１１４】
終了ボタン１１１が操作された場合には(ステップＳ２３Ｂ：ＹＥＳ)、端末Ｔは、仕入処理を実行できないことまたは仕入処理を実行できなかったことを表す警告表示を行った後(ステップＳ２４)、今回の仕入処理可否判定処理を終了する。したがって、この場合には、仕入処理が禁止される。一方、仕入処理移行ボタン１１２が操作された場合には(ステップＳ２３Ｃ：ＹＥＳ)、端末Ｔは、仕入処理に移行する(ステップＳ２２)。
【０１１５】
図１５の仕入処理可否判定処理に、仕入処理を許可するための所定の条件を付加してもよい。所定の条件に関する情報は、管理サーバ４に対して設定され、仕入処理制限情報の一部として記憶される。この場合には、図１５に鎖線で示すように、ステップＳ１１で、自己が許可端末であると判別された場合には(ステップＳ１１：ＹＥＳ)、端末Ｔは、所定の条件を満たしているか否かを判別するための処理（条件判別処理）を行う(ステップＳ３０)。条件判別処理の詳細については、後述する。所定の条件を満たしている場合には(ステップＳ３０：ＹＥＳ)、端末Ｔは、ステップＳ１２に移行する。所定の条件を満たしていない場合には(ステップＳ３０：ＮＯ)、端末Ｔは、ステップＳ１３に移行する。
【０１１６】
図１６の仕入処理可否判定処理に、仕入処理を許可するための所定の条件を付加してもよい。この場合には、図１６に鎖線で示すように、端末Ｔは、仕入処理可否判定処理が開始されると、所定の条件を満たしているか否かを判別するための処理（条件判別処理）を行う(ステップＳ３０)。条件判別処理の詳細については、後述する。所定の条件を満たしている場合には(ステップＳ３０：ＹＥＳ)、端末Ｔは、ステップＳ２１に移行する。所定の条件を満たしていない場合には(ステップＳ３０：ＮＯ)、端末Ｔは、ステップＳ２４に移行する。
【０１１７】
図１８の仕入処理可否判定処理に、仕入処理を許可するための所定の条件を付加してもよい。この場合には、図１８に鎖線で示すように、ステップＳ１１で、自己が許可端末であると判別された場合には(ステップＳ１１：ＹＥＳ)、端末Ｔは、所定の条件を満たしているか否かを判別するための処理（条件判別処理）を行う(ステップＳ３０)。条件判別処理の詳細については、後述する。所定の条件を満たしている場合には(ステップＳ３０：ＹＥＳ)、端末Ｔは、ステップＳ２１に移行する。所定の条件を満たしていない場合には(ステップＳ３０：ＮＯ)、端末Ｔは、ステップＳ２４に移行する。
【０１１８】
条件判別処理について説明する。前記所定の条件としては、例えば、使用者が仕入処理を行う権限を有している担当者であるという第１条件、現在時刻が所定の時間帯内であるという第２条件、仕入賞品数が所定の最大数以内であるという第３条件、端末Ｔが賞品管理装置２である場合には他の端末Ｔからの仕入データを受信中ではないという第４条件等が挙げられる。
【０１１９】
端末Ｔが、賞品払出装置３または携帯端末５である場合には、前記所定の条件は、第１条件、第２条件および第３条件のうちから選択された所定の１つの条件であってもよく、あるいはこれらのうちから選択された２以上の所定の組み合わせのＡＮＤ条件であってもよい。端末Ｔが、賞品管理装置２である場合には、前記所定の条件は、第１条件、第２条件、第３条件および第４条件のうちから選択された所定の１つの条件であってもよいし、あるいはこれらのうちから選択された２以上の所定の組み合わせのＡＮＤ条件であってもよい。
【０１２０】
第１条件が前記所定の条件に含まれている場合には、第１条件を満たしているか否かを判別するよりも前に、使用者に使用者ＩＤを入力させるための処理が行われる。また、第３条件が前記所定の条件に含まれている場合には、第３条件を満たしているか否かを判別するよりも前に、使用者に仕入賞品数を入力させるための処理が行われる。
図１９は、図１５、図１６または図１８のステップＳ３０で実行される条件判別処理の手順の一例を示すフローチャートである。
【０１２１】
条件判別処理においては、端末Ｔは、まず、仕入データ取得処理を行う(ステップＳ３１)。端末Ｔが賞品払出装置３である場合の仕入データ取得処理について説明する。端末Ｔが賞品払出装置３である場合には、端末Ｔは、仕入処理を行おうとしている使用者に、使用者識別情報（使用者ＩＤ）を入力させるための使用者ＩＤ入力画面を表示する。使用者は、使用者ＩＤ入力画面上で使用者ＩＤを入力する。この際、バーコードリーダを利用して使用者ＩＤを入力させるようにしてもよい。使用者ＩＤが入力されると、端末Ｔは、装填履歴管理テーブル５７（図７，図８参照）に記憶されている装填データを店側表示部１８にリスト表示する。この際、装填データは、古いものから新しいものへと並べられて表示されるが、１ページ（１画面）に収まらない場合には、最新の装填データを含むページが表示されることが好ましい。
【０１２２】
使用者は、リスト表示された装填データから、仕入処理を行いたい装填データ（仕入処理対象の装填データ）を選択する。この後、使用者が確定操作を行うと、端末Ｔは、仕入データ取得処理を終了して、ステップＳ３２に移行する。
端末Ｔが携帯端末５または賞品管理装置２である場合の仕入データ取得処理について説明する。端末Ｔが携帯端末５または賞品管理装置２である場合には、端末Ｔは、仕入処理を行おうとしている使用者に、使用者ＩＤを入力させるためのＩＤ入力画面を表示する。使用者は、ＩＤ入力画面上で使用者ＩＤを入力する。この際、バーコードリーダまたはバーコード読取機能を利用して使用者ＩＤを入力するようにしてもよい。使用者ＩＤが入力されると、携帯端末５は、仕入賞品の種類別仕入数（賞品仕入数）を入力させるための仕入数入力画面を表示する。使用者は、仕入数入力画面上で賞品仕入数を入力する。この後、使用者が確定操作を行うと、端末Ｔは、仕入データ取得処理を終了して、ステップＳ３２に移行する。
【０１２３】
ステップＳ３２では、端末Ｔは、仕入データ取得処理で取得した使用者ＩＤと、仕入処理の実行権限を有している使用者ＩＤとに基づいて、使用者が仕入処理の実行権限を有しているか否かを判別する。仕入処理の実行権限を有している使用者ＩＤは、仕入処理制限情報に含まれている。使用者が仕入処理の実行権限を有している場合には(ステップＳ３２：ＹＥＳ)、端末Ｔは現在時刻が許容時間帯内であるか否かを判別する(ステップＳ３３)。許容時間帯は、仕入処理制限情報に含まれている。
【０１２４】
現在時刻が許容時間帯内である場合には(ステップＳ３３：ＹＥＳ)、端末Ｔは仕入賞品の種類別仕入数（賞品仕入数）が対応する賞品種類別の許容数（種類別許容数）以内か否かを判別する(ステップＳ３４)。種類別許容数は、仕入処理制限情報に含まれている。仕入賞品の種類別仕入数のいずれもが対応する種類別許容数以内である場合には(ステップＳ３４：ＹＥＳ)、端末Ｔは、図１５、図１６または図１８におけるステップＳ３０において所定の条件を満たしていると判別（肯定判定）する。
【０１２５】
ステップＳ３２において、使用者が仕入処理の実行権限を有していないと判別された場合(ステップＳ３２：ＮＯ)またはステップＳ３３において、現在時刻が許容時間帯外であると判別された場合(ステップＳ３３：ＮＯ)には、端末Ｔは、図１５、図１６または図１８におけるステップＳ３０において所定の条件を満たしていないと判別（否定判定）する。また、ステップＳ３４において、仕入賞品の種類別仕入数のいずれかが対応する種類別許容数を超えていると判別された場合(ステップＳ３４：ＮＯ)にも、端末Ｔは、図１５、図１６または図１８における前記ステップＳ３０において所定の条件を満たしていないと判別（否定判定）する。
【０１２６】
なお、端末Ｔが賞品管理装置である場合には、図１９に鎖線で示すように、ステップＳ３５の処理を追加してもよい。すなわち、ステップＳ３４で仕入賞品の種類別仕入数のいずれもが対応する種類別許容数以内であると判別された場合には(ステップＳ３４：ＹＥＳ)、端末Ｔは、他の端末Ｔからの仕入データの受信中ではないか否かを判別する（ステップＳ３５）。他の端末Ｔからの仕入データの受信中ではない場合には(ステップＳ３５：ＹＥＳ)、端末Ｔは、図１５、図１６または図１８におけるステップＳ３０において所定の条件を満たしていると判別（肯定判定）する。
【０１２７】
一方、他の端末Ｔからの仕入データの受信中である場合には(ステップＳ３５：ＮＯ)、端末Ｔは、図１５、図１６または図１８における前記ステップＳ３０において所定の条件を満たしていないと判別（否定判定）する。
図８の条件判別処理（図１５、図１６または図１８におけるステップＳ３０）では、ステップＳ３１において、端末Ｔは使用者ＩＤおよび賞品仕入数を取得する。したがって、条件判別処理で肯定判定された後において仕入処理に移行した場合には、端末Ｔは、仕入処理において、使用者ＩＤおよび賞品仕入数を取得するための処理を省略してもよい。
【０１２８】
前述の実施形態では、複数の端末２，３，５のうちの少なくとも１つの端末からの仕入処理に対して制限を加えることができるので、賞品払出装置３に仕入された仕入賞品に対して、重複して仕入処理が行われるのを抑制できる。
賞品払出装置３にエラーが発生した場合や賞品払出装置３を定期点検する場合には、サービスマンは、管理サーバ４に対してテストモード設定操作を行った後、賞品払出装置３の動作テストを行う。賞品払出装置３の動作テストには、例えば、賞品払出装置３から賞品を払い出す払出テスト、賞品払出装置３に賞品を装填する装填テスト等がある。このような動作テストが行われた場合には、動作テスト前の賞品払出装置３内の賞品在庫数（種類別在庫数）と動作テスト終了後の賞品在庫数との間に誤差が発生するおそれがある。このような誤差が発生した状態のまま、テストモードが解除されて通常モードに移行すると、賞品管理装置２および管理サーバ４で管理している賞品在庫に誤差が発生じてしまう。そこで、このような賞品在庫誤差の発生を防止するための実施形態について説明する。
【０１２９】
図２０は、賞品払出装置の動作テストを行う際のサービスマンの操作ならびに賞品管理装置、賞品払出装置および管理サーバの動作を説明するためのシーケンス図である。
賞品払出装置３の動作テストを行うに際しては、サービスマンは、管理サーバ４に対してテストモードの設定操作を行う（シーケンス番号［Ｓ４１］）。この設定操作によって、テスト対象の賞品払出装置３を特定するための情報（テスト対象端末ＩＤ）および当該賞品払出装置３に対して動作テストが行われることを示す情報が入力される。テストモードの設定操作が行われると、管理サーバ４は、テスト対象端末ＩＤを含むテストモード設定通知を賞品管理装置２に送信する（シーケンス番号［Ｓ４２］）。
【０１３０】
賞品管理装置２は、このテストモード設定通知を受信すると、払出装置別在庫管理テーブル７６Ｂ（図１２参照）から、テスト対象端末ＩＤに対応する賞品払出装置３の現在の在庫データ（種類別在庫数）を読み出して、テスト前在庫データとしてメモリに記憶する（シーケンス番号［Ｓ４３］）。
この後、サービスマンによる動作テスト（払出テスト、装填テスト等）が行われる（シーケンス番号［Ｓ４４］）。動作テストが終了すると、サービスマンは、管理サーバ４に対してテストモードの解除操作を行う（シーケンス番号［Ｓ４５］）。テストモードの解除操作が行われると、管理サーバ４は、テストモード解除通知を賞品管理装置２に送信する（シーケンス番号［Ｓ４６］）。
【０１３１】
賞品管理装置２は、テストモード解除通知を受信すると、前記テスト対象端末ＩＤに対応した賞品払出装置３から現在の在庫データ（種類別在庫数）を取得して、テスト後在庫データとしてメモリに記憶する（シーケンス番号［Ｓ４７］）。そして、賞品管理装置２は、テスト前在庫データとテスト後在庫データとが一致するか否かを判定する（シーケンス番号［Ｓ４８］，［Ｓ４９］）。両者が一致した場合には、賞品管理装置２は、テストモード解除完了通知を管理サーバ４に送信する（シーケンス番号［Ｓ５０］）。これにより、テストモードが終了し、通常モードに戻る。
【０１３２】
一方、テスト前在庫データとテスト後在庫データとが不一致である場合には、賞品管理装置２は、テスト前後の在庫データが不一致であるためにテストモードを終了できないことを表す警告表示を行う（シーケンス番号［Ｓ５１］）。サービスマンは、テスト対象の賞品払出装置３の在庫データがテスト前の在庫データと一致するように、賞品払出装置３に対して賞品の装填（プラス装填またはマイナス装填）を行う。この後、サービスマンは、管理サーバ４に対してテストモードの解除操作を再度行う。これにより、前記シーケンス番号［Ｓ４６］以下の動作と同様な動作が再度行われることになる。
【０１３３】
図２１は、テストモード設定が通知された場合に、賞品管理装置によって実行されるテストモード終了制御処理の手順の一例を示すフローチャートである。
管理サーバ４からのテスト対象端末ＩＤを含むテストモード設定通知を受信すると(ステップＳ６１：ＹＥＳ)、賞品管理装置２は、払出装置別在庫管理テーブル７６Ｂ（図１２参照）から、テスト対象端末ＩＤに対応する賞品払出装置３の現在の在庫データ（種類別在庫数）を読み出して、テスト前在庫データとしてメモリに記憶する（ステップＳ６２）。そして、賞品管理装置２は、管理サーバ４からテストモード解除通知が送られてくるのを待つ(ステップＳ６３)。
【０１３４】
管理サーバ４からのテストモード解除通知を受信すると(ステップＳ６３：ＹＥＳ)、賞品管理装置２は、前記テスト対象端末ＩＤに対応する賞品払出装置３から現在の在庫データ（種類別在庫数）を取得して、テスト後在庫データとしてメモリに記憶する(ステップＳ６４)。そして、賞品管理装置２は、テスト前在庫データとテスト後在庫データとが一致するか否かを判定する（ステップＳ６５）。両者が一致した場合には、賞品管理装置２は、管理サーバ４に対してテストモード解除が完了したことを通知する（ステップＳ６６）。そして、賞品管理装置２は、今回のテストモード終了制御処理を終了する。
【０１３５】
一方、テスト前在庫データとテスト後在庫データとが不一致である場合には、賞品管理装置２は、テスト前後の在庫データが不一致であるためにテストモードを終了できないことを表す警告表示を行う（ステップＳ６７）。そして、賞品管理装置２は、ステップＳ６３に戻る。サービスマンは、賞品払出装置３の在庫データがテスト前の在庫データと一致するように、テスト対象の賞品払出装置３に対して賞品の装填（プラス装填またはマイナス装填）を行う。そして、その後、サービスマンは管理サーバ４に対してテストモードの解除操作を再度行う。これにより、管理サーバ４からテストモード解除通知が賞品管理装置２に送信されるので、ステップＳ６３で肯定判定となり、前記ステップＳ６４移行の処理が再度実行されることになる。
【０１３６】
図２１のテストモード終了制御処理は賞品管理装置２によって実行されているが、図２１と同様なテストモード終了制御処理を、テスト対象の賞品払出装置３が実行できるようにしてもよい。この場合には、賞品管理装置２は、管理サーバ４からテスト対象端末ＩＤを含むテストモード設定通知を受信したときには、テスト対象端末ＩＤに対応する賞品払出装置３にテストモード設定通知を送信する。これにより、前記ステップＳ６１において、テスト対象の賞品払出装置３がテストモード設定通知を受信できる。
【０１３７】
また、賞品管理装置２は、管理サーバ４からテストモード解除通知を受信したときには、テスト対象端末ＩＤに対応する賞品払出装置３にテストモード解除通知を送信する。これにより、前記ステップＳ６３において、テスト対象の賞品払出装置３がテストモード解除通知を受信できる。また、ステップＳ６６では、テスト対象の賞品払出装置３がテストモード解除完了通知を、賞品管理装置２を介して管理サーバ４に送信することになる。
【０１３８】
以上、この発明の一実施形態について説明したが、この発明はさらに他の形態で実施することもできる。例えば賞品払出装置としては、賞品Ｐの厚さ方向が上下方向となる姿勢で、複数の賞品Ｐが上下方向に積層された状態で収納される収容部を有するものであってもよい。この場合、賞品払出装置は、例えば特開２００８−７３１６９号公報に記載の景品払出機のように複数の賞品が積層された１列の収納容器を整列させて複数個収容した１レーンの収容部から、１列の収納容器を個別に取り出し可能な収容部を備えたものであってもよく、上述の実施形態における通い箱６（収納区画）に代えて１列の収納容器の収納区画を１単位として在庫数の表示、管理などを行えばよい。また、１列の収納区画毎を個別に取り出し可能であることは必須ではなく、複数列の収納区画を物理的に一体形成されたカートリッジで１レーンの収容部を構成し、このカートリッジを取り出し可能とした構成を備えたものであってもよい。
【０１３９】
また、管理サーバ４は、例えば開店前の所定のタイミングにおいて、各賞品管理装置２および各賞品払出装置３と通信を行うことにより、各賞品管理装置２を識別する識別情報および各賞品払出装置３を識別する識別情報を取得し、取得した識別情報に基づいて、各端末に対して賞品の仕入に関する許可／不許可の設定を行うようにしてもよい。例えば、管理サーバ４は、賞品払出装置の型式を特定可能な型式情報と、仕入処理が可能かどうかの対応付情報を記憶している。そして、管理サーバは所定のタイミング（例えば、開店時における起動処理）で各賞品払出装置の応答電文に含まれる型式情報を取得する。そして、店内に、仕入処理が不可能な型式の賞品払出装置３が存在している場合には、賞品払出装置３からの賞品の仕入を禁止する設定を行うことができる。さらに、仕入処理が可能な型式の賞品払出装置３に対してのみ、賞品の仕入を許可する設定を行うこともできる。
【０１４０】
また、管理サーバ４は、例えば開店前の所定のタイミングにおいて、賞品管理装置２を介して各賞品払出装置３と通信して、各賞品払出装置３の識別情報を取得し、取得した識別情報に基づいて仕入処理が不可能な型式の賞品払出装置３が存在するか否かを判別してもよい。そして、仕入処理が不可能な型式の賞品払出装置３が存在する場合には、管理サーバ４は、賞品払出装置３からの賞品の仕入を禁止するための設定を行う。これらの処理により、仕入処理が可能な型式の賞品払出装置と不可能な型式の賞品払出装置が混在している場合にも対応が可能となる。
【０１４１】
前述の実施形態では、賞品の仕入に関する許可／不許可を各端末に対して設定している。しかし、賞品の仕入に関する許可／不許可だけでなく、賞品のマスタ情報の更新、在庫の修正等の許可／不許可を各端末に対して設定できるようにしてもよい。
また、許可／不許可の対象は、賞品管理装置２、賞品払出装置３および携帯端末５だけでなく、賞品の返品受付端末や、ワゴンサービス受付端末、その他の携帯型端末であってよく、また、同一装置に含まれる別のボタン等であってもよい。
【０１４２】
また、賞品払出装置３から取得した値（在庫数）を用いて、賞品管理装置２から仕入れができてもよい。
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【０１４３】
その他、特許請求の範囲に記載された事項の範囲で種々の設計変更を施すことが可能である。
【符号の説明】
【０１４４】
１  賞品管理システム
２  賞品管理装置
３  賞品払出装置
４  管理サーバ
５  携帯型通信端末（携帯端末）
５０，７０，８０，９０  制御部
５５，７４，８５，９４  記憶部
８８  仕入処理制限情報記憶部
１１０  仕入処理制限画面
【図１】
2019017561.tif 000003
【図２】
2019017561.tif 000004
【図３】
2019017561.tif 000005
【図４】
2019017561.tif 000006
【図５Ａ】
2019017561.tif 000007
【図５Ｂ】
2019017561.tif 000008
【図６】
2019017561.tif 000009
【図７】
2019017561.tif 000010
【図８】
2019017561.tif 000011
【図９Ａ】
2019017561.tif 000012
【図９Ｂ】
2019017561.tif 000013
【図１０】
2019017561.tif 000014
【図１１】
2019017561.tif 000015
【図１２】
2019017561.tif 000016
【図１３】
2019017561.tif 000017
【図１４】
2019017561.tif 000018
【図１５】
2019017561.tif 000019
【図１６】
2019017561.tif 000020
【図１７】
2019017561.tif 000021
【図１８】
2019017561.tif 000022
【図１９】
2019017561.tif 000023
【図２０】
2019017561.tif 000024
【図２１】
2019017561.tif 000025